(57)【特許請求の範囲】
【請求項１】
１以上のコンテンツの少なくとも１つが複数の搬送波に分割されて並行して送信されるデジタル放送の放送信号を復調処理してＴＳ（Ｔｒａｎｓｐｏｒｔ  Ｓｔｒｅａｍ）信号を出力する復調モジュールであって、
前記複数の搬送波の１つから生成された第１のＩＦ（Ｉｎｔｅｒｍｅｄｉａｔｅ  Ｆｒｅｑｕｅｎｃｙ）信号および第１の入力ＴＳ信号が入力される第１処理部と、
前記複数の搬送波の他の１つから生成された第２のＩＦ信号が入力される第２処理部と、
を備え、
前記第１処理部は、第１復調部、第１選択部および第１合成部を有し、
前記第２処理部は、第２復調部を有し、
前記第１復調部は、前記第１処理部に入力された前記第１のＩＦ信号を復調処理して、前記復調処理に基づく第１の内部ＴＳ信号を出力し、
前記第２復調部は、前記第２処理部に入力された前記第２のＩＦ信号を復調処理して、前記復調処理に基づく第２の内部ＴＳ信号を出力し、
前記第１選択部は、前記第１の入力ＴＳ信号および前記第２の内部ＴＳ信号が入力され、前記第１の入力ＴＳ信号および前記第２の内部ＴＳ信号のいずれかを選択し、選択した信号を第３の内部ＴＳ信号として出力し、
前記第１合成部は、前記第１の内部ＴＳ信号および前記第３の内部ＴＳ信号を含む複数のＴＳ信号を合成して、第１の合成ＴＳ信号を出力する
復調モジュール。
【請求項２】
前記放送信号は、２つのコンテンツの少なくとも１つが複数の搬送波に分割されて並行して送信され、
前記第１のＩＦ信号および前記第１の入力ＴＳ信号は、前記２つのコンテンツのうちの一方のコンテンツの前記放送信号に基づいて生成された信号であり、
前記第２のＩＦ信号は、前記２つのコンテンツのうちの他方のコンテンツの前記放送信号に基づいて生成された信号である
請求項１に記載の復調モジュール。
【請求項３】
前記２つのコンテンツは、互いに異なるコンテンツであり、
前記第１選択部は、前記第１の入力ＴＳ信号を選択して前記第３の内部ＴＳ信号として出力する
請求項２に記載の復調モジュール。
【請求項４】
前記第２処理部は、さらに、第２選択部および第２合成部を有し、
前記第２選択部は、前記他方のコンテンツの前記放送信号に基づいて生成された第２の入力ＴＳ信号および前記第１の内部ＴＳ信号が入力され、前記第２の入力ＴＳ信号および前記第１の内部ＴＳ信号のいずれかを選択し、選択した信号を第４の内部ＴＳ信号として出力し、
前記第２合成部は、前記第２の内部ＴＳ信号および前記第４の内部ＴＳ信号を含む複数のＴＳ信号を合成して、第２の合成ＴＳ信号を出力する
請求項２または３に記載の復調モジュール。
【請求項５】
前記第１処理部は、さらに、第３選択部を有し、
前記第２処理部は、さらに、第４選択部を有し、
前記第３選択部は、前記第１の内部ＴＳ信号および前記第１の合成ＴＳ信号が入力され、前記第１の内部ＴＳ信号および前記第１の合成ＴＳ信号のいずれかを選択し、選択した信号を第１の選択信号として出力し、
前記第４選択部は、前記第２の内部ＴＳ信号および前記第２の合成ＴＳ信号が入力され、前記第２の内部ＴＳ信号および前記第２の合成ＴＳ信号のいずれかを選択し、選択した信号を第２の選択信号として出力する
請求項４に記載の復調モジュール。
【請求項６】
前記放送信号は、１つのコンテンツが複数の搬送波に分割されて並行して送信され、
前記第１のＩＦ信号、前記第１の入力ＴＳ信号および前記第２のＩＦ信号は、前記１つのコンテンツの前記放送信号に基づいて生成された信号であり、
前記第１選択部は、前記第２の内部ＴＳ信号を前記第３の内部ＴＳ信号として出力する
請求項５に記載の復調モジュール。
【請求項７】
前記第１処理部は、さらに、第３選択部を有し、
前記第２処理部は、さらに、第４選択部を有し、
前記第３選択部は、前記第１の内部ＴＳ信号および前記第１の合成ＴＳ信号が入力され、前記第１の内部ＴＳ信号および前記第１の合成ＴＳ信号のいずれかを選択し、選択した信号を第１の選択信号として出力し、
前記第４選択部は、前記第２の内部ＴＳ信号が入力され、前記第２の内部ＴＳ信号を第２の選択信号として出力する
請求項４に記載の復調モジュール。
【発明の詳細な説明】
【技術分野】
【０００１】
本開示は、デジタル放送の放送信号を復調する復調モジュールに関する。
【背景技術】
【０００２】
デジタル放送の伝送方式として、１つの搬送波の伝送容量を超えるストリームを複数の搬送波を用いて分割して伝送し、受信装置で合成する複数搬送波伝送方式が知られている（例えば、特許文献１、非特許文献１）。【０００３】
また、次世代地上放送に向け、伝送容量を拡大するため、ＭＩＭＯ（ＭｕｌｔｉＩｎｐｕｔ−ＭｕｌｔｉＯｕｔｐｕｔ）を用いた伝送方式が検討されている（例えば、非特許文献２参照）。
【先行技術文献】
【特許文献】
【０００４】
【特許文献１】国際公開第２０１６／１１７２８３号
【非特許文献】
【０００５】
【非特許文献１】総務省：情報通信審議会・情報通信技術分科会・放送システム委員会報告（案）、「第６章：複数搬送波伝送方式（ＩＴＵ−Ｔ勧告Ｊ．１８３）に係る技術的条件」、ｐ．６４−９３
【非特許文献２】村山研一、「次世代地上放送に向けた大容量伝送方式」、ＮＨＫ技研、Ｒ＆Ｄ／Ｎｏ．１３６／２０１２．１１
【発明の概要】
【発明が解決しようとする課題】
【０００６】
上記の伝送方式で送信されたデジタル放送の放送信号は、例えば、復調部および合成部を備えた復調モジュールによって復調処理および合成処理される。しかしながら従来の復調モジュールは、特定用途に限られており、様々な受信形態に対応することが困難であった。【０００７】
本開示は、様々な受信形態に対応することができる汎用性の高い復調モジュールを提供することを目的とする。
【課題を解決するための手段】
【０００８】
本開示の一形態における復調モジュールは、１以上のコンテンツの少なくとも１つが複数の搬送波に分割されて並行して送信されるデジタル放送の放送信号を復調処理してＴＳ（Ｔｒａｎｓｐｏｒｔ  Ｓｔｒｅａｍ）信号を出力する復調モジュールであって、前記複数の搬送波の１つから生成された第１のＩＦ（Ｉｎｔｅｒｍｅｄｉａｔｅ  Ｆｒｅｑｕｅｎｃｙ）信号および第１の入力ＴＳ信号が入力される第１処理部と、前記複数の搬送波の他の１つから生成された第２のＩＦ信号が入力される第２処理部と、を備え、前記第１処理部は、第１復調部、第１選択部および第１合成部を有し、前記第２処理部は、第２復調部を有し、前記第１復調部は、前記第１処理部に入力された前記第１のＩＦ信号を復調処理して、前記復調処理に基づく第１の内部ＴＳ信号を出力し、前記第２復調部は、前記第２処理部に入力された前記第２のＩＦ信号を復調処理して、前記復調処理に基づく第２の内部ＴＳ信号を出力し、前記第１選択部は、前記第１の入力ＴＳ信号および前記第２の内部ＴＳ信号が入力され、前記第１の入力ＴＳ信号および前記第２の内部ＴＳ信号のいずれかを選択し、選択した信号を第３の内部ＴＳ信号として出力し、前記第１合成部は、前記第１の内部ＴＳ信号および前記第３の内部ＴＳ信号を含む複数のＴＳ信号を合成して、第１の合成ＴＳ信号を出力する。【００１３】
なお、これらの包括的又は具体的な態様は、システム、方法、集積回路、コンピュータプログラム又はコンピュータで読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【００１４】
本開示によれば、様々な受信形態に対応することができる汎用性の高い復調モジュールを提供することができる。
【図面の簡単な説明】
【００１５】
【図１】図１は、比較例１の受信装置を示すブロック構成図である。
【図２】図２は、比較例１の復調モジュールを示すブロック構成図である。
【図３】図３は、実施の形態１に係る復調モジュールを示すブロック構成図である。
【図４】図４は、実施の形態１に係る復調モジュールの第１復調部を示す図である。
【図５Ａ】図５Ａは、実施の形態１に係る復調モジュールを備える受信装置を示すブロック構成図である。
【図５Ｂ】図５Ｂは、実施の形態１に係る復調モジュール内を伝送する信号の状況を示す図である。
【図６Ａ】図６Ａは、実施の形態１の変形例１に係る復調モジュールを備える受信装置を示すブロック構成図である。
【図６Ｂ】図６Ｂは、実施の形態１の変形例１に係る復調モジュール内を伝送する信号の状況を示す図である。
【図７】図７は、実施の形態１の変形例２に係る復調モジュールを示すブロック構成図である。
【図８Ａ】図８Ａは、実施の形態１の変形例２に係る復調モジュールを備える受信装置を示すブロック構成図である。
【図８Ｂ】図８Ｂは、実施の形態１の変形例２に係る復調モジュール内を伝送する信号の状況を示す図である。
【図９Ａ】図９Ａは、実施の形態１の変形例３に係る復調モジュールを備える受信装置を示すブロック構成図である。
【図９Ｂ】図９Ｂは、実施の形態１の変形例３に係る復調モジュール内を伝送する信号の状況を示す図である。
【図１０】図１０は、比較例２の復調モジュールを示すブロック構成図である。
【図１１Ａ】図１１Ａは、実施の形態２に係る復調モジュールを示すブロック構成図である。
【図１１Ｂ】図１１Ｂは、実施の形態２に係る復調モジュール内を伝送する信号の形態を示す図である。
【図１２Ａ】図１２Ａは、実施の形態２の変形例１に係る復調モジュールを示すブロック構成図である。
【図１２Ｂ】図１２Ｂは、実施の形態２の変形例１に係る復調モジュール内を伝送する信号の形態を示す図である。
【図１３Ａ】図１３Ａは、実施の形態２の変形例２に係る復調モジュールを示すブロック構成図である。
【図１３Ｂ】図１３Ｂは、実施の形態２の変形例２に係る復調モジュール内を伝送する信号の形態を示す図である。
【図１４Ａ】図１４Ａは、比較例３の復調モジュールを示すブロック構成図である。
【図１４Ｂ】図１４Ｂは、比較例３の復調モジュールの出力端子の端子割り当てを示す図である。
【図１５】図１５は、実施の形態３に係る復調モジュールを示すブロック構成図である。
【図１６】図１６は、実施の形態３の復調モジュールを備える受信装置を示すブロック構成図である。
【図１７】図１７は、実施の形態３に係る復調モジュールの出力端子の端子割り当てを示す図である。
【図１８】図１８は、他の例の復調モジュールを備える受信装置を示すブロック構成図である。
【図１９】図１９は、他の例の復調モジュールの出力端子の端子割り当てを示す図である。
【図２０】図２０は、実施の形態３の変形例１に係る復調モジュールを示すブロック構成図である。
【図２１】図２１は、実施の形態３の変形例２に係る復調モジュールを示すブロック構成図である。
【図２２】図２２は、実施の形態３の変形例２に係る復調モジュールの出力端子の端子割り当てを示す図である。
【図２３】図２３は、比較例４の復調モジュールを示すブロック構成図である。
【図２４】図２４は、実施の形態４に係る復調モジュールを示すブロック構成図である。
【図２５】図２５は、実施の形態４の変形例１に係る復調モジュールを示すブロック構成図である。
【図２６】図２６は、実施の形態４の変形例２に係る復調モジュールを示すブロック構成図である。
【図２７】図２７は、実施の形態４の変形例３に係る復調モジュールを示すブロック構成図である。
【図２８】図２８は、実施の形態４の変形例４に係る復調モジュールを示すブロック構成図である。
【図２９】図２９は、実施の形態４の変形例５に係る復調モジュールを示すブロック構成図である。
【図３０】図３０は、比較例５の復調モジュールを備える受信装置を示すブロック構成図である。
【図３１】図３１は、実施の形態５に係る復調モジュールを備える受信装置を示すブロック構成図である。
【図３２】図３２は、実施の形態５の変形例に係る復調モジュールを備える受信装置を示すブロック構成図である。
【発明を実施するための形態】
【００１６】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、本開示の一形態に係る実現形態を示す独立請求項に記載されていない構成要素については、任意の構成要素として説明される。本開示の実現形態は、現行の独立請求項に限定されるものではなく、他の独立請求項によっても表現され得る。
【００１７】
なお、各図は模式図であり、必ずしも厳密に図示されたものではない。また、各図において、実質的に同一の構成に対しては同一の符号を付しており、重複する説明は省略または簡略化される場合がある。
【００１８】
（実施の形態１）
［１−１．本開示に至る経緯］
本開示に至る経緯について、比較例１である図１および図２を参照しながら説明する。
【００１９】
通信ケーブルを用いた４Ｋ８Ｋデジタル放送の伝送方式として、１つの搬送波の伝送容量を超えるストリームを複数の搬送波を用いて分割して伝送し、受信装置で合成する複数搬送波伝送方式が知られている。複数搬送波伝送方式では、例えば、拡張ＴＳＭＦ（Ｔｒａｎｓｐｏｒｔ  Ｓｔｒｅａｍｓ  Ｍｕｌｔｉｐｌｅｘｉｎｇ  Ｆｒａｍｅ）ヘッダー内の新規フィールドで定義されたグループＩＤやフレーム順序などの情報を用いて、同じ複数搬送波のグループか否かが判定され、複数搬送波におけるフレーム分割・合成処理が実行される。
【００２０】
図１は、比較例１の受信装置１００１を示すブロック構成図である。図１には、４つの復調部から出力された信号を、１つの合成部で合成する構成が示されている。具体的には、まず、ＲＦ部（チューナ）６１、６２、６３および６４のそれぞれにて所望のチャネルを選局し、各ＲＦ部６１〜６４からＩＦ（Ｉｎｔｅｒｍｅｄｉａｔｅ  Ｆｒｅｑｕｅｎｃｙ）信号を出力する。次に、各復調部７１、７２、７３および７４にて、それぞれのチャネルのＩＦ信号を復調処理および誤り訂正処理し、複数搬送波のＴＳ（Ｔｒａｎｓｐｏｒｔ  Ｓｔｒｅａｍ）信号を出力する。次に、合成部９１にて複数搬送波のＴＳ信号の合成を行い、その後、デコーダ（図示省略）でデコード処理する。
【００２１】
図２は、比較例１の復調モジュール１０００を示すブロック構成図である。比較例１の復調モジュール１０００は、１つの復調部８１と合成部９２とを有している。この復調モジュール１０００では、復調部８１から出力されたＴＳ信号と、外部から入力された３つのＴＳ信号とが合成部９２に入力され、合成部９２にて合成処理された後、外部（デコーダ等）へ出力される。
【００２２】
昨今では多番組視聴のＴＶやレコーダーなどが普及しており、図１に示すように、受信装置１００１が、デジタル放送を受信する復調部を２系統以上有していることもあるが、複数搬送波伝送方式に対応する受信装置は現在のところ存在していない。例えば、受信装置１００１が、図２に示す復調モジュール１０００を２つ備えることで複数搬送波伝送方式に対応することも可能であるが、その場合、特定用途に限られてしまい、様々な受信形態に対応することが困難である。
【００２３】
それに対し本開示の復調モジュールは、以下に示す構成を有することで、様々な受信形態に対応し、柔軟性の高い使い方をすることができる。
【００２４】
［１−２．復調モジュールの構成］
実施の形態１の復調モジュール１００について、図３および図４を参照しながら説明する。復調モジュール１００は、２つのコンテンツの少なくとも１つが複数の搬送波に分割されて並行して送信されるデジタル放送の放送信号を復調処理して出力するモジュールである。
【００２５】
図３は、実施の形態１に係る復調モジュール１００を示すブロック構成図である。
【００２６】
図３に示すように、復調モジュール１００は、第１処理部１１０と、第２処理部１２０とを備えている。第１処理部１１０は、第１復調部１１１、第１選択部１１２および第１合成部１１３を備えている。第２処理部１２０は、第２復調部１２１、第２選択部１２２および第２合成部１２３を備えている。また、復調モジュール１００は、入力端子１１、１２、１３、１４、１５、１６、１７、１８および出力端子１１ｚ、１２ｚを備えている。
【００２７】
入力端子１１は、第１復調部１１１に接続され、入力端子１２、１３は、第１合成部１１３に接続され、入力端子１４は、第１選択部１１２に接続されている。入力端子１５は、第２復調部１２１に接続され、入力端子１６、１７は、第２合成部１２３に接続され、入力端子１８は、第２選択部１２２に接続されている。第１復調部１１１の出力側は、第１合成部１１３および第２選択部１２２に接続され、第２復調部１２１の出力側は、第２合成部１２３および第１選択部１１２に接続されている。第１合成部１１３の出力側は、出力端子１１ｚに接続され、第２合成部１２３の出力側は、出力端子１２ｚに接続されている。
【００２８】
なお、入力端子１１〜１８については、全てが外部に接続される必要は無く、複数搬送波方式で用いられる搬送波数に応じて接続有無を変更可能である。
【００２９】
ここで、図５Ａを参照して、復調モジュール１００に入出する信号について説明する。図５Ａは、復調モジュール１００を備える受信装置１０１の構成を示す図である。
【００３０】
図５Ａに示すように、復調モジュール１００の入力端子１１には、ＲＦ部６１から出力された第１のＩＦ信号ｉ１１が入力される。入力端子１２には、復調部７２から出力された第１の入力ＴＳ信号ｔ１ａが入力される。入力端子１３には、復調部７３から出力された第１の入力ＴＳ信号ｔ１ｂが入力される。入力端子１４には、復調部７４から出力された第１の入力ＴＳ信号ｔ１ｃが入力される。入力端子１５には、ＲＦ部６５から出力された第２のＩＦ信号ｉ１２が入力される。入力端子１６には、復調部７６から出力された第２の入力ＴＳ信号ｔ２ａが入力される。入力端子１７には、復調部７７から出力された第２の入力ＴＳ信号ｔ２ｂが入力される。入力端子１８には、復調部７８から出力された第２の入力ＴＳ信号ｔ２ｃが入力される。
【００３１】
なお、第１のＩＦ信号ｉ１１および第１の入力ＴＳ信号ｔ１ａ〜ｔ１ｃは、複数の搬送波の１つから生成される信号であり、２つのコンテンツのうちの一方のコンテンツの放送信号に基づいて生成される。第２のＩＦ信号ｉ１２および第２の入力ＴＳ信号ｔ２ａ〜ｔ２ｃは、複数の搬送波の他の１つから生成される信号であり、２つのコンテンツのうちの他方のコンテンツの放送信号に基づいて生成される。本実施の形態において、２つのコンテンツは、互いに異なるコンテンツである。
【００３２】
なお、本実施の形態では、映像／音声の出力形式をＴＳとして説明するが、それに限られず、ＴＬＶ（Ｔｙｐｅ  Ｌｅｎｇｔｈ  Ｖａｌｕｅ）パケットの出力形式をＴＳとしてもよい。ＴＬＶは、高度ＢＳであるＢＳ４Ｋ８Ｋ放送で使用されている形式である。
【００３３】
図３に示すように、第１復調部１１１には、入力端子１１を介して第１のＩＦ信号ｉ１１が入力される。第１復調部１１１は、入力された第１のＩＦ信号ｉ１１に対して、復調処理を行い、ＴＳを取り出し、第１の内部ＴＳ信号ｔｓ１を生成する。第１復調部１１１は、第１の内部ＴＳ信号ｔｓ１を第１合成部１１３および第２選択部１２２へ出力する。
【００３４】
第２復調部１２１には、入力端子１５を介して第２のＩＦ信号ｉ１２が入力される。第２復調部１２１は、入力された第２のＩＦ信号ｉ１２に対して、復調処理を行い、ＴＳを取り出し、第２の内部ＴＳ信号ｔｓ２を生成する。第２復調部１２１は、第２の内部ＴＳ信号ｔｓ２を第２合成部１２３および第１選択部１１２へ出力する。
【００３５】
図４は、復調モジュール１００の第１復調部１１１を示す図である。
【００３６】
図４に示すように、第１復調部１１１は、ＡＤ（Ａｎａｌｏｇ  Ｄｉｇｉｔａｌ）変換部１１１ａと、復調コア部１１１ｂと、誤り訂正部１１１ｃとを有している。ＡＤ変換部１１１ａは、アナログ信号をデジタルに変換し、復調コア部１１１ｂは、同期または波形等化を行い、誤り訂正部１１１ｃは、ＲＳ（Ｒｅｅｄ−Ｓｏｌｏｍｏｎ）復号などの誤り訂正を行い、ＴＳデータを出力する。第２復調部１２１も、第１復調部１１１と同じ構成を有している。
【００３７】
図３に示すように、第１選択部１１２には、入力端子１４を介して第１の入力ＴＳ信号ｔ１ｃが入力され、また、第２復調部１２１から出力された第２の内部ＴＳ信号ｔｓ２が入力される。第１選択部１１２は、第１の入力ＴＳ信号ｔ１ｃおよび第２の内部ＴＳ信号ｔｓ２のいずれかの信号を選択し、選択した信号を第３の内部ＴＳ信号ｔｓ３として、第１合成部１１３へ出力する。
【００３８】
第２選択部１２２には、入力端子１８を介して第２の入力ＴＳ信号ｔ２ｃが入力され、また、第１復調部１１１から出力された第１の内部ＴＳ信号ｔｓ１が入力される。第２選択部１２２は、第２の入力ＴＳ信号ｔ２ｃおよび第１の内部ＴＳ信号ｔｓ１のいずれかの信号を選択し、選択した信号を第４の内部ＴＳ信号ｔｓ４として、第２合成部１２３へ出力する。
【００３９】
このように、第１選択部１１２および第２選択部１２２のそれぞれは、入力された複数の信号のうち、所定の信号を選択可能である。複数の信号のうちのいずれの信号を選択するかは、復調モジュール１００の仕様または用途によって適宜設定される。
【００４０】
一般的な複数搬送波伝送方式は、１つのグループのＴＳのデータ列を、複数の搬送波に分けて送信し、受信側にて元通りに復元する。例えば、複数搬送波伝送方式では、１つのＴＳデータ列を前から順番にＴＳ０、ＴＳ１、ＴＳ２、ＴＳ３、ＴＳ４、ＴＳ５に区切り、そのうちのＴＳ０、ＴＳ２、ＴＳ４は第１の搬送波による送信とし、ＴＳ１、ＴＳ３、ＴＳ５は第２の搬送波による送信とし、２つの搬送波を１つのグループとして送信する。
【００４１】
本実施の形態の復調モジュール１００は、２つのグループのＴＳのデータ列を、複数の搬送波に分け、搬送波が異なる２つの系統で送信し、受信側にて元の２つのグループのＴＳのデータ列に復元する。したがって、第１選択部１１２および第２選択部１２２のそれぞれには、異なるグループからの信号が入力される。
【００４２】
第１合成部１１３は、第１の内部ＴＳ信号ｔｓ１および第３の内部ＴＳ信号ｔｓ３を含む複数のＴＳ信号を合成し、第１の合成ＴＳ信号ｃ１１を出力する。具体的には、第１合成部１１３には、第１復調部１１１から出力された第１の内部ＴＳ信号ｔｓ１が入力され、また、入力端子１２、１３のそれぞれを介して第１の入力ＴＳ信号ｔ１ａ、ｔ１ｂが入力され、また、第１選択部１１２から出力された第３の内部ＴＳ信号ｔｓ３が入力される。第１合成部１１３は、これらの第１の内部ＴＳ信号ｔｓ１、第１の入力ＴＳ信号ｔ１ａ、ｔ１ｂ、および、第３の内部ＴＳ信号ｔｓ３を合成して第１の合成ＴＳ信号ｃ１１を生成し、第１の合成ＴＳ信号ｃ１１を出力する。第１の合成ＴＳ信号ｃ１１は、出力端子１１ｚを介して外部（デコーダ等）へ出力される。
【００４３】
第２合成部１２３は、第２の内部ＴＳ信号ｔｓ２および第４の内部ＴＳ信号ｔｓ４を含む複数のＴＳ信号を合成し、第２の合成ＴＳ信号ｃ１２を出力する。具体的には、第２合成部１２３には、第２復調部１２１から出力された第２の内部ＴＳ信号ｔｓ２が入力され、また、入力端子１６、１７のそれぞれを介して第２の入力ＴＳ信号ｔ２ａ、ｔ２ｂが入力され、また、第２選択部１２２から出力された第４の内部ＴＳ信号ｔｓ４が入力される。第２合成部１２３は、これらの第２の内部ＴＳ信号ｔｓ２、第２の入力ＴＳ信号ｔ２ａ、ｔ２ｂ、および、第４の内部ＴＳ信号ｔｓ４を合成して第２の合成ＴＳ信号ｃ１２を生成し、第２の合成ＴＳ信号ｃ１２を出力する。第２の合成ＴＳ信号ｃ１２は、出力端子１２ｚを介して外部（デコーダ等）へ出力される。
【００４４】
すなわち、復調モジュール１００は、第１の合成ＴＳ信号ｃ１１および第２の合成ＴＳ信号ｃ１２という２系統のＴＳ信号を出力する。
【００４５】
復調モジュール１００が上記構成を有することで、復調モジュール１００を用いた受信装置１０１の形態に汎用性を持たすことが可能となる。例えば、４つの搬送波を用いた複数搬送波方式を受信する場合に、入力端子１１〜１４から入力された信号を合成し、第１の合成ＴＳ信号ｃ１１を出力するという形態と、入力端子１１〜１３および１５から入力された信号を合成し、第１の合成ＴＳ信号ｃ１１を出力するという形態を、復調モジュール１００を設計する際に選択することが可能となる。
【００４６】
［１−３．受信装置の構成］
ここで、復調モジュール１００を備える受信装置１０１の構成について、図５Ａおよび図５Ｂを参照しながら説明する。
【００４７】
前述したように、図５Ａは、復調モジュール１００を備える受信装置１０１の構成を示す図である。図５Ｂは、復調モジュール１００内を伝送する信号の状況を示す図である。図５Ｂにおいて、「○」印は、信号が有効であることを示している。
【００４８】
受信装置１０１は、複数のＲＦ部と、複数の復調部と、復調モジュール１００と、を備えている。複数のＲＦは、ＲＦ部６１、ＲＦ部６２、ＲＦ部６３、ＲＦ部６４、ＲＦ部６５、ＲＦ部６６、ＲＦ部６７およびＲＦ部６８で構成されている。複数の復調部は、復調部７２、復調部７３、復調部７４、復調部７６、復調部７７および復調部７８で構成されている。
【００４９】
ＲＦ部６１〜６８は、通信ケーブル等で伝送された放送波から、所望の周波数帯の信号を取り出し、所定のＩＦ周波数に変換して出力する。ＲＦ部６１は、変換後の第１のＩＦ信号ｉ１１を復調モジュール１００の入力端子１１へ出力する。ＲＦ部６２〜６４は、変換後の信号を復調部７２〜７４へ出力する。ＲＦ部６５は、変換後の第２のＩＦ信号ｉ１２を復調モジュール１００の入力端子１５へ出力する。ＲＦ部６６〜６８は、変換後の信号を復調部７６〜７８へ出力する。
【００５０】
復調部７２〜７４は、ＲＦ部６２〜６４から出力された信号に基づいて、復調処理を行い、第１の入力ＴＳ信号ｔ１ａ、ｔ１ｂ、ｔ１ｃを復調モジュール１００の入力端子１２、１３、１４へ出力する。復調部７６〜７８は、ＲＦ部６６〜６８から出力された信号に基づいて、復調処理を行い、第２の入力ＴＳ信号ｔ２ａ、ｔ２ｂ、ｔ２ｃを復調モジュール１００の入力端子１６、１７、１８へ出力する。
【００５１】
入力される放送信号の２つのコンテンツが互いに異なるコンテンツである場合、復調モジュール１００の第１選択部１１２は、入力端子１４から入力される信号を選択するように設定される。すなわち、第１選択部１１２は、第１の入力ＴＳ信号ｔ１ｃを第３の内部ＴＳ信号ｔｓ３として出力するよう設定される（図５Ｂ参照）。一方、第２選択部１２２は、入力端子１８から入力される信号を選択するように設定される。すなわち、第２選択部１２２は、第２の入力ＴＳ信号ｔ２ｃを第４の内部ＴＳ信号ｔｓ４として出力するよう設定される（図５Ｂ参照）。第１選択部１１２および第２選択部１２２の設定は、例えば、復調モジュール１００を製造する際に予め組み込まれる設定であるが、それに限られず、復調モジュール１００を利用するユーザによって後から調整可能な設定であってもよい。
【００５２】
上記構成を有する受信装置１０１では、例えば、４つの搬送波を用いた複数搬送波のデジタル放送を２チャネル同時に受信することができる。
【００５３】
また、受信装置１０１において、復調処理に必要な部品は、復調部７２、７３、７４、７６、７７、７８および復調モジュール１００の合計７つとなり、例えば、比較例１の復調モジュール１０００を２つ用いた受信装置に比べて、部品点数を削減することができる。
【００５４】
［１−４．実施の形態１の変形例１］
実施の形態１の変形例１に係る復調モジュール１００Ａについて、図６Ａおよび図６Ｂを参照しながら説明する。この変形例１では、複数搬送波の放送信号が、ＲＦ部６１、６２、６３、６５のみに入力される例について説明する。
【００５５】
変形例１の復調モジュール１００Ａは、１つのコンテンツが複数の搬送波に分割されて並行して送信されるデジタル放送の放送信号を復調処理して出力する。
【００５６】
図６Ａは、変形例１に係る復調モジュール１００Ａを備える受信装置１０１を示すブロック構成図である。図６Ｂは、変形例１に係る復調モジュール１００Ａ内を伝送する信号の状況を示す図である。図６Ｂにおいて、「○」印は、信号が有効であることを示し、「Ｎ／Ａ」は、信号が未入力または不要であることを示している。
【００５７】
図６Ａに示すように、受信装置１０１は、複数のＲＦ部と、複数の復調部と、復調モジュール１００Ａと、を備えている。複数のＲＦは、ＲＦ部６１、ＲＦ部６２、ＲＦ部６３およびＲＦ部６５で構成されている。複数の復調部は、復調部７２および復調部７３で構成されている。
【００５８】
ＲＦ部６１〜６３および６５は、通信ケーブル等で伝送された放送波から、所望の周波数帯の信号を取り出し、所定のＩＦ周波数に変換して出力する。ＲＦ部６１は、変換後の第１のＩＦ信号ｉ１１を復調モジュール１００Ａの入力端子１１へ出力する。ＲＦ部６２、６３は、変換後の信号を復調部７２、７３へ出力する。ＲＦ部６５は、変換後の第２のＩＦ信号ｉ１２を復調モジュール１００Ａの入力端子１５へ出力する。
【００５９】
復調部７２および７３は、復調部７２および７３に対応するＲＦ部６２および６３から出力された信号に基づいて、復調処理を行い、第１の入力ＴＳ信号ｔ１ａ、ｔ１ｂを復調モジュール１００Ａの入力端子１２、１３へ出力する。
【００６０】
復調モジュール１００Ａの第１選択部１１２は、入力される放送信号の２つのコンテンツが互いに同じコンテンツである場合に、第２復調部１２１から出力される第２の内部ＴＳ信号ｔｓ２を選択するよう設定される。すなわち、第１選択部１１２は、第２の内部ＴＳ信号ｔｓ２を第３の内部ＴＳ信号ｔｓ３として出力する（図６Ｂ参照）。第１合成部１１３は、複数のＴＳ信号を合成し、第１の合成ＴＳ信号ｃ１１を出力する。一方、第２選択部１２２は、何も選択しないように設定され、第２合成部１２３からは、何も出力されない（図６Ｂのｔｓ４、ｃ１２を参照）。
【００６１】
変形例１の復調モジュール１００Ａを有する受信装置１０１では、例えば、４つの搬送波を用いた１グループの搬送波のデジタル放送を受信することができる。
【００６２】
また、この場合、受信装置１０１において、復調処理に必要な部品は、復調部７２、７３および復調モジュール１００Ａの合計３つとなり、例えば比較例１の受信装置１００１で４つの復調部と１つの合成部を要する場合と比べて、部品点数を削減することができる。
【００６３】
［１−５．実施の形態１の変形例２］
実施の形態１の変形例２に係る復調モジュール１００Ｂについて、図７を参照しながら説明する。この変形例２では、復調モジュール１００Ｂが、さらに、第３選択部１３２および第４選択部１４２を備えている例について説明する。
【００６４】
図７は、実施の形態１の変形例２に係る復調モジュール１００Ｂを示すブロック構成図である。
【００６５】
変形例２に係る復調モジュール１００Ｂは、図３の復調モジュール１００の構成に加え、第１処理部１１０内に第３選択部１３２を有し、第２処理部１２０内に第４選択部１４２を有している。
【００６６】
第３選択部１３２は、第１合成部１１３と出力端子１１ｚとを結ぶ配線経路上に配置されている。第３選択部１３２には、第１合成部１１３から出力された第１の合成ＴＳ信号ｃ１１が入力され、また、第１復調部１１１から出力された第１の内部ＴＳ信号ｔｓ１が入力される。第３選択部１３２は、第１の合成ＴＳ信号ｃ１１および第１の内部ＴＳ信号ｔｓ１のいずれかの信号を選択し、選択した信号を第１の選択信号ｓ１１として、出力端子１１ｚを介して外部へ出力する。第１の選択信号ｓ１１は、ＴＳ信号に属する信号である。このように、第３選択部１３２は、入力された複数の信号のうち、所定の信号を選択可能である。複数の信号のうちのいずれの信号を選択するかは、復調モジュール１００Ｂの仕様または用途によって適宜設定される。
【００６７】
例えば、第３選択部１３２は、第１復調部１１１で復調する放送方式が複数搬送波方式でない場合、第１復調部１１１から出力された第１の内部ＴＳ信号ｔｓ１を選択する。一方、第３選択部１３２は、第１復調部１１１で復調する放送方式が複数搬送波方式である場合、第１合成部１１３から出力された第１の合成ＴＳ信号ｃ１１を選択する。
【００６８】
第４選択部１４２は、第２合成部１２３と出力端子１２ｚとを結ぶ配線経路上に配置されている。第４選択部１４２には、第２合成部１２３から出力された第２の合成ＴＳ信号ｃ１２が入力され、また、第２復調部１２１から出力された第２の内部ＴＳ信号ｔｓ２が入力される。第４選択部１４２は、第２の合成ＴＳ信号ｃ１２および第２の内部ＴＳ信号ｔｓ２のいずれかの信号を選択し、選択した信号を第２の選択信号ｓ１２として、出力端子１２ｚを介して外部へ出力する。第２の選択信号ｓ１２は、ＴＳ信号に属する信号である。このように、第４選択部１４２は、入力された複数の信号のうち、所定の信号を選択可能である。複数の信号のうちのいずれの信号を選択するかは、復調モジュール１００Ｂの仕様または用途によって適宜設定される。
【００６９】
例えば、第４選択部１４２は、第２復調部１２１で復調する放送方式が複数搬送波方式でない場合、第２復調部１２１から出力された第２の内部ＴＳ信号ｔｓ２を選択する。一方、第４選択部１４２は、第２復調部１２１で復調する放送方式が複数搬送波方式である場合、第２合成部１２３から出力された第２の合成ＴＳ信号ｃ１２を選択する。
【００７０】
変形例２の復調モジュール１００Ｂによれば、出力端子１１ｚから複数搬送波伝送方式のストリームを出力しつつ、出力端子１２ｚから地上デジタル放送やケーブル放送（単一搬送波）のストリームを出力することができる。
【００７１】
図８Ａは、変形例２に係る復調モジュール１００Ｂを備える受信装置１０１を示すブロック構成図である。図８Ｂは、変形例２に係る復調モジュール１００Ｂ内を伝送する信号の状況を示す図である。図８Ｂにおいて、「○」印は、信号が有効であることを示し、「Ｎ／Ａ」は、信号が未入力または不要であることを示している。
【００７２】
図８Ａに示すように、受信装置１０１は、複数のＲＦ部と、複数の復調部と、復調モジュール１００Ｂと、を備えている。複数のＲＦは、ＲＦ部６１、ＲＦ部６２、ＲＦ部６３、ＲＦ部６４およびＲＦ部６５で構成されている。複数の復調部は、復調部７２、復調部７３および復調部７４で構成されている。
【００７３】
変形例２において、ＲＦ部６１〜６４は、複数搬送波の信号を受信し、ＲＦ部６５は単一搬送波の信号を受信する。ＲＦ部６１〜６５は、通信ケーブル等で伝送された放送波から、所望の周波数帯の信号を取り出し、所定のＩＦ周波数に変換して出力する。ＲＦ部６１は、変換後の第１のＩＦ信号ｉ１１を復調モジュール１００Ｂの入力端子１１へ出力する。ＲＦ部６２〜６４は、変換後の信号を復調部７２〜７４へ出力する。ＲＦ部６５は、変換後の第２のＩＦ信号ｉ１２を復調モジュール１００Ｂの入力端子１５へ出力する。
【００７４】
復調部７２〜７４は、復調部７２〜７４に対応するＲＦ部６２〜６４から出力された信号に基づいて、復調処理を行い、第１の入力ＴＳ信号ｔ１ａ、ｔ１ｂ、ｔ１ｃを復調モジュール１００Ｂの入力端子１２、１３、１４へ出力する。
【００７５】
変形例２では、復調モジュール１００Ｂの第１選択部１１２は、入力端子１４の信号を選択する。すなわち、第１選択部１１２は、第１の入力ＴＳ信号ｔ１ｃを第３の内部ＴＳ信号ｔｓ３として出力するよう設定される（図８Ｂ参照）。
【００７６】
第１合成部１１３は、第１復調部１１１から入力された第１の内部ＴＳ信号ｔｓ１、および、入力端子１２、１３、１４から入力された第１の入力ＴＳ信号ｔ１ａ、ｔ１ｂ、ｔ１ｃを合成し、第１の合成ＴＳ信号ｃ１１を第３選択部１３２へ出力する。
【００７７】
第３選択部１３２は、第１の合成ＴＳ信号ｃ１１を選択し、第１の選択信号ｓ１１として出力端子１１ｚへ出力する。一方、第４選択部１４２は、第２復調部１２１から入力された第２の内部ＴＳ信号ｔｓ２を選択し、第２の選択信号ｓ１２として出力端子１２ｚへ出力する。
【００７８】
変形例２の復調モジュール１００Ｂを有する受信装置１０１では、出力端子１１ｚから複数搬送波伝送方式のストリームを出力しつつ、出力端子１２ｚから地上デジタル放送やケーブル放送（単一搬送波）のストリームを出力することができる。
【００７９】
なお、上記では、第３選択部１３２に第１の内部ＴＳ信号ｔｓ１および第１の合成ＴＳ信号ｃ１１が入力される例を示したが、それに限られない。例えば、第３選択部１３２には、さらに、入力端子１２〜１４を介して第１の入力ＴＳ信号ｔ１ａ〜ｔ１ｃが入力され、第３選択部１３２は、第１の入力ＴＳ信号ｔ１ａ、ｔ１ｂまたはｔ１ｃを選択し、選択した信号を第１の選択信号ｓ１１として出力してもよい。同様に、上記では、第４選択部１４２に第２の内部ＴＳ信号ｔｓ２および第２の合成ＴＳ信号ｃ１２が入力される例を示したが、それに限られない。例えば、第４選択部１４２には、さらに、入力端子１６〜１８を介して第２の入力ＴＳ信号ｔ２ａ〜ｔ２ｃが入力され、第４選択部１４２は、第２の入力ＴＳ信号ｔ２ａ、ｔ２ｂまたはｔ２ｃを選択し、選択した信号を第２の選択信号ｓ１２として出力してもよい。
【００８０】
［１−６．実施の形態１の変形例３］
実施の形態１の変形例３に係る復調モジュール１００Ｃについて、図９Ａおよび図９Ｂを参照しながら説明する。この変形例３では、受信装置１０１が、復調モジュール１００Ｂおよび復調モジュール１００Ｃを備えている例について説明する。
【００８１】
図９Ａは、変形例３に係る復調モジュール１００Ｃを備える受信装置１０１を示すブロック構成図である。図９Ｂは、変形例３に係る復調モジュール１００Ｃ内を伝送する信号の状況を示す図である。図９Ｂにおいて、「○」印は、信号が有効であることを示し、「Ｎ／Ａ」は、信号が未入力または不要であることを示している。
【００８２】
図９Ａに示すように、受信装置１０１は、複数のＲＦ部と、１つの復調部７４と、復調モジュール１００Ｃと、復調モジュール１００Ｂと、を備えている。複数のＲＦは、ＲＦ部６１、ＲＦ部６２、ＲＦ部６３、ＲＦ部６４およびＲＦ部６５で構成されている。変形例３では、ＲＦ部６２、６３と復調モジュール１００Ｂとを結ぶ配線経路上に、復調モジュール１００Ｃが配置されている。復調モジュール１００Ｃは、復調モジュール１００Ｂと同じ仕様である。
【００８３】
変形例３では、復調モジュール１００Ｃの第３選択部１３２は、第１復調部１１１から出力された第１の内部ＴＳ信号ｔｓ１を選択し（図９Ｂ参照）、復調モジュール１００Ｂの入力端子１２へ出力する。また、第４選択部１４２は、第２復調部１２１から出力された第２の内部ＴＳ信号ｔｓ２を選択し（図９Ｂ参照）、復調モジュール１００Ｂの入力端子１３へ出力する。
【００８４】
図９Ａに示す復調モジュール１００Ｂおよび１００Ｃを備える受信装置１０１においても、部品点数を減らすことができる。また、出力端子１１ｚから複数搬送波伝送方式のストリームを出力しつつ、出力端子１２ｚから地上デジタル放送やケーブル放送（単一搬送波）のストリームを出力することができ、復調モジュール１００Ｂおよび１００Ｃを用いた受信装置１０１の設計に柔軟性を持たせることができる。
【００８５】
［１−７．効果等］
本実施の形態の復調モジュール１００は、１以上のコンテンツの少なくとも１つが複数の搬送波に分割されて並行して送信されるデジタル放送の放送信号を復調処理してＴＳ信号を出力する復調モジュールであって、複数の搬送波の１つから生成された第１のＩＦ信号ｉ１１および第１の入力ＴＳ信号ｔ１ｃが入力される第１処理部１１０と、複数の搬送波の１つから生成された第２のＩＦ信号ｉ１２が入力される第２処理部１２０と、を備える。第１処理部１１０は、第１復調部１１１、第１選択部１１２および第１合成部１１３を有し、第２処理部１２０は、第２復調部１２１を有する。第１復調部１１１は、第１処理部１１０に入力された第１のＩＦ信号ｉ１１を復調処理して、復調処理に基づく第１の内部ＴＳ信号ｔｓ１を出力し、第２復調部１２１は、第２処理部１２０に入力された第２のＩＦ信号ｉ１２を復調処理して、復調処理に基づく第２の内部ＴＳ信号ｔｓ２を出力する。第１選択部１１２は、第１の入力ＴＳ信号ｔ１ｃおよび第２の内部ＴＳ信号ｔｓ２が入力され、第１の入力ＴＳ信号ｔ１ｃおよび第２の内部ＴＳ信号ｔｓ２のいずれかを選択し、選択した信号を第３の内部ＴＳ信号ｔｓ３として出力する。第１合成部１１３は、第１の内部ＴＳ信号ｔｓ１および第３の内部ＴＳ信号ｔｓ３を含む複数のＴＳ信号を合成して、第１の合成ＴＳ信号ｃ１１を出力する。
【００８６】
このように、第１の入力ＴＳ信号ｔ１ｃおよび第２の内部ＴＳ信号ｔｓ２のいずれかを選択することで、復調モジュール１００から出力するＴＳ信号を変えることができる。これにより、様々な受信形態に対応することができる汎用性の高い復調モジュール１００を提供することができる。
【００８７】
また、放送信号は、２つのコンテンツの少なくとも１つが複数の搬送波に分割されて並行して送信され、第１のＩＦ信号ｉ１１および第１の入力ＴＳ信号ｔ１ｃは、２つのコンテンツのうちの一方のコンテンツの放送信号に基づいて生成された信号であり、第２のＩＦ信号ｉ１２は、２つのコンテンツのうちの他方のコンテンツの放送信号に基づいて生成された信号であってもよい。
【００８８】
これによれば、一方のコンテンツおよび他方のコンテンツを用いて、復調モジュール１００から出力するＴＳ信号を変えることができる。これにより、様々な受信形態に対応することができる汎用性の高い復調モジュール１００を提供することができる。
【００８９】
また、２つのコンテンツは、互いに異なるコンテンツであり、第１選択部１１２は、第１の入力ＴＳ信号ｔ１ｃを選択して第３の内部ＴＳ信号ｔｓ３として出力してもよい。
【００９０】
これによれば、第３の内部ＴＳ信号ｔｓ３に基づいて、復調モジュール１００から出力するＴＳ信号を決定することができる。これにより、所定の受信形態に対応した復調モジュール１００を提供することができる。
【００９１】
また、第２処理部１２０は、さらに、第２選択部１２２および第２合成部１２３を有し、第２選択部１２２は、他方のコンテンツの放送信号に基づく第２の入力ＴＳ信号ｔ２ｃおよび第１の内部ＴＳ信号ｔｓ１が入力され、第２の入力ＴＳ信号ｔ２ｃおよび第１の内部ＴＳ信号ｔｓ１のいずれかを選択し、選択した信号を第４の内部ＴＳ信号ｔｓ４として出力してもよい。第２合成部１２３は、第２の内部ＴＳ信号ｔｓ２および第４の内部ＴＳ信号ｔｓ４を含む複数のＴＳ信号を合成して、第２の合成ＴＳ信号ｃ１２を出力してもよい。
【００９２】
このように、第２の入力ＴＳ信号ｔ２ｃおよび第１の内部ＴＳ信号ｔｓ１のいずれかを選択することで、復調モジュール１００から出力するＴＳ信号を変えることができる。これにより、様々な受信形態に対応することができる汎用性の高い復調モジュール１００を提供することができる。
【００９３】
また、第１処理部１１０は、さらに、第３選択部１３２を有し、第２処理部１２０は、さらに、第４選択部１４２を有し、第３選択部１３２は、第１の内部ＴＳ信号ｔｓ１および第１の合成ＴＳ信号ｃ１１が入力され、第１の内部ＴＳ信号ｔｓ１および第１の合成ＴＳ信号ｃ１１のいずれかを選択し、選択した信号を第１の選択信号ｓ１１として出力してもよい。第４選択部１４２は、第２の内部ＴＳ信号ｔｓ２および第２の合成ＴＳ信号ｃ１２が入力され、第２の内部ＴＳ信号ｔｓ２および第２の合成ＴＳ信号ｃ１２のいずれかを選択し、選択した信号を第２の選択信号ｓ１２として出力してもよい。
【００９４】
これによれば、第３選択部１３２および第４選択部１４２を用いて、復調モジュール１００Ｂから出力するＴＳ信号を変えることができる。これにより、様々な受信形態に対応することができる汎用性の高い復調モジュール１００Ｂを提供することができる。
【００９５】
また、放送信号は、１つのコンテンツが複数の搬送波に分割されて並行して送信され、第１のＩＦ信号ｉ１１、第１の入力ＴＳ信号ｔ１ｃおよび第２のＩＦ信号ｉ１２は、１つのコンテンツの放送信号に基づいて生成された信号であり、第１選択部１１２は、第２の内部ＴＳ信号ｔｓ２を第３の内部ＴＳ信号ｔｓ３として出力してもよい。
【００９６】
これによれば、第３の内部ＴＳ信号ｔｓ３に基づいて、復調モジュール１００Ａから出力するＴＳ信号を決定することができる。これにより、所定の受信形態に対応した復調モジュール１００Ａを提供することができる。
【００９７】
また、第１処理部１１０は、さらに、第３選択部１３２を有し、第２処理部１２０は、さらに、第４選択部１４２を有し、第３選択部１３２は、第１の内部ＴＳ信号ｔｓ１および第１の合成ＴＳ信号ｃ１１が入力され、第１の内部ＴＳ信号ｔｓ１および第１の合成ＴＳ信号ｃ１１のいずれかを選択し、選択した信号を第１の選択信号ｓ１１として出力してもよい。第４選択部１４２は、第２の内部ＴＳ信号ｔｓ２が入力され、第２の内部ＴＳ信号ｔｓ２を第２の選択信号ｓ１２として出力してもよい。
【００９８】
これによれば、第３選択部１３２および第４選択部１４２を用いて、復調モジュール１００Ｂから出力するＴＳ信号を変えることができる。これにより、様々な受信形態に対応することができる汎用性の高い復調モジュール１００Ｂを提供することができる。
【００９９】
なお、実施の形態１および２の復調モジュール１００〜１００Ｂにおいて、入力端子１１〜１８および出力端子１１ｚ、１２ｚは、端子の群であり、１つ以上の端子ピンからなる。例えば、入力端子１２〜１４、１６〜１８は、ＴＳ信号を入力するために、少なくともクロックとデータとの２つからなり、必要に応じて、パケットの先頭を示すパケットＳＹＮＣ信号やデータの有効区間を示すＶａｌｉｄ信号などを入力する端子を有していてもよい。データをパラレルで入力する場合は、データは１ｂｉｔでなく複数ビット（例えば２ｂｉｔや８ｂｉｔ）でよく、それに応じて端子の数が設けられていてもよい。出力端子においても、出力のビット数に応じて端子の数が設けられていてもよい。また、例えば入力端子１１は、ＩＦ信号の差動信号として２ピンとしてもよい。
【０１００】
復調モジュール１００〜１００Ｂは、それぞれ複数のチップを組み合わせて構築されてもよいし、それぞれ１つのＬＳＩ（Ｌａｒｇｅ  Ｓｃａｌｅ  Ｉｎｔｅｇｒａｔｉｏｎ）で構成されていてもよい。
【０１０１】
また、実施の形態１では、複数搬送波方式を４つの搬送波を用いる構成として説明したが、これに限られず、搬送波は２波または３波でもよい。その場合、搬送波数に必要な数のＲＦ部および復調部を用い、任意の入力端子を用いて合成すればよい。
【０１０２】
（実施の形態２）
［２−１．本開示に至る経緯］
本開示に至る経緯について、比較例２である図１０を参照しながら説明する。
【０１０３】
ＴＶの裏番組を録画するために、複数のチャネル（Ｃｈａｎｎｅｌ）の放送信号を複数のＲＦ部（チューナ）に入力し、複数のＲＦ部から出力された信号をデジタル変換して復調した後、複数のＴＳ信号を出力する受信装置が知られている。
【０１０４】
図１０は、比較例２の復調モジュール２０００を示すブロック構成図である。
【０１０５】
比較例２の復調モジュール２０００は、ＡＤ変換部２２１０と、ＡＤ変換部２２２０と、復調誤り訂正部２２３０と、復調誤り訂正部２２４０とを備えている。
【０１０６】
比較例２の受信装置では、放送波をＲＦ部（図示省略）で選局し、ＩＦ信号またはベースバンド信号に変換して、変換後のＲＦ出力信号を復調モジュール２０００へ出力する。この復調モジュール２０００では、ＲＦ出力信号をＡＤ変換部２２１０でＡＤ変換した後、復調誤り訂正部２２３０で復調および誤り訂正を行い、ＴＳ信号を出力する。同様に、復調モジュール２０００では、ＲＦ出力信号をＡＤ変換部２２２０でＡＤ変換した後、復調誤り訂正部２２４０で復調および誤り訂正を行い、ＴＳ信号を出力する。これにより、同一もしくは異なるチャネルを受信し、２つのＴＳ信号を出力する。
【０１０７】
受信装置では、受信装置を新たに設置したり移動させたりした場合に、最初のチャネル設定として、チャネルサーチを行う。このチャネルサーチにより、設置された受信環境で受信可能なチャネル情報を取得する。
【０１０８】
チャネルサーチでは１系統のみの動作で全チャネルの受信可否を順次確認していくが、復調処理を行う際に、送信パラメータが不明なため、１つのチャネルの受信可否を確認するために、例えば、６４ＱＡＭ（Ｑｕａｄｒａｔｕｒｅ  Ａｍｐｌｉｔｕｄｅ  Ｍｏｄｕｌａｔｉｏｎ）設定での受信可否を確認し、次に、２５６ＱＡＭ設定での受信可否を確認するといったように確認することとなり、１つのチャネルの受信可否の確認時間が長くなるという問題がある。
【０１０９】
それに対し本開示の復調モジュールは、以下に示す構成を有することで、例えば６４ＱＡＭまたは２５６ＱＡＭなどの様々な受信形態に対応し、柔軟性の高い使い方をすることができる。
【０１１０】
［２−２．復調モジュールの構成］
実施の形態２に係る復調モジュール２００について、図１１Ａおよび図１１Ｂを参照しながら説明する。復調モジュール２００は、デジタル放送の放送信号を復調処理し、２系統のＴＳ信号を出力するモジュールである。なお、本実施の形態では、映像／音声の出力形式をＴＳとして説明するが、それに限られず、ＴＬＶパケットの出力形式をＴＳとしてもよい。
【０１１１】
図１１Ａは、実施の形態２に係る復調モジュール２００を示すブロック構成図である。
【０１１２】
図１１Ａに示すように、復調モジュール２００は、第１ＡＤ変換部２１０と、第２ＡＤ変換部２２０と、第１復調誤り訂正部２３０と、第２復調誤り訂正部２４０と、ＴＳ選択部２５０とを備えている。また、復調モジュール２００は、入力端子２１、２２および出力端子２１ｚ、２２ｚを備えている。
【０１１３】
入力端子２１は、第１ＡＤ変換部２１０に接続され、入力端子２２は、第２ＡＤ変換部２２０に接続されている。第１ＡＤ変換部２１０の出力側は、第１復調誤り訂正部２３０に接続され、第２ＡＤ変換部２２０の出力側は、第２復調誤り訂正部２４０に接続されている。第１復調誤り訂正部２３０の出力側は、ＴＳ選択部２５０に接続され、第２復調誤り訂正部２４０の出力側は、ＴＳ選択部２５０および出力端子２２ｚのそれぞれに接続されている。ＴＳ選択部２５０の出力側は、出力端子２１ｚに接続されている。
【０１１４】
入力端子２１には、第１のＩＦ信号ｉ２１が入力され、入力端子２２には、第２のＩＦ信号ｉ２２が入力される。第１のＩＦ信号ｉ２１および第２のＩＦ信号ｉ２２は、放送信号をＲＦ処理等することで生成された信号である。
【０１１５】
第１ＡＤ変換部２１０には、放送信号に基づいて生成された第１のＩＦ信号ｉ２１が入力される。第１ＡＤ変換部２１０は、第１のＩＦ信号ｉ２１に対しＡＤ変換処理を行い、ＡＤ変換処理に基づく第１の変換信号ｃ２１を生成する。第１ＡＤ変換部２１０は、第１の変換信号ｃ２１を第１復調誤り訂正部２３０へ出力する。
【０１１６】
第１復調誤り訂正部２３０は、第１の変換信号ｃ２１に対して同期処理、波形等化処理および誤り訂正処理の少なくとも１つの処理を含む第１の復調処理を行い、第１の復調処理に基づく第１のＴＳ信号ｔ２１を生成する。第１復調誤り訂正部２３０は、第１のＴＳ信号ｔ２１をＴＳ選択部２５０へ出力する。
【０１１７】
第２ＡＤ変換部２２０は、放送信号に基づいて生成された第２のＩＦ信号ｉ２２が入力される。第２ＡＤ変換部２２０は、第２のＩＦ信号ｉ２２に対してＡＤ変換処理を行い、ＡＤ変換処理に基づく第２の変換信号ｃ２２を生成する。第２ＡＤ変換部２２０は、第２の変換信号ｃ２２を第２復調誤り訂正部２４０へ出力する。
【０１１８】
第２復調誤り訂正部２４０は、第２の変換信号ｃ２２に対して同期処理、波形等化処理および誤り訂正処理の少なくとも１つの処理を含む第２の復調処理を行い、第２の復調処理に基づく第２のＴＳ信号ｔ２２を生成する。第２復調誤り訂正部２４０は、第２のＴＳ信号ｔ２２をＴＳ選択部２５０および出力端子２２ｚへ出力する。
【０１１９】
ＴＳ選択部２５０は、第１のＴＳ信号ｔ２１および第２のＴＳ信号ｔ２２が入力される。ＴＳ選択部２５０は、第１のＴＳ信号ｔ２１および第２のＴＳ信号ｔ２２のいずれかのＴＳ信号を選択し、選択した信号を出力端子２１ｚへ出力する。このように、ＴＳ選択部２５０は、入力された複数の信号のうち、所定の信号を選択可能である。複数の信号のうちのいずれの信号を選択するかは、復調モジュール２００の仕様または用途によって適宜設定される。
【０１２０】
復調モジュール２００は、このＴＳ選択部２５０により、第１のＴＳ信号ｔ２１および第２のＴＳ信号ｔ２２という２系統のＴＳ信号を出力することが可能であり、また、第２のＴＳ信号ｔ２２という１系統のＴＳ信号を出力することが可能である。
【０１２１】
復調モジュール２００は、複数のチャネルの放送信号を通常受信する第１のモードＭ２１、および、受信可能な放送信号をパラレルに受信する第２のモードＭ２２を有している。第１のモードＭ２１は、放送番組の視聴および録画を目的としてデジタル放送を受信する場合に利用できる。第２のモードＭ２２は、例えばチャネルサーチなど、１系統のＴＳ出力のみを必要とする場合に利用できる。
【０１２２】
ＴＳ選択部２５０は、第１のモードＭ２１において、第１復調誤り訂正部２３０から出力された第１のＴＳ信号ｔ２１を選択する。つまり、復調モジュール２００は、２つのＲＦ部で同一もしくは異なるチャネルが選局された状態において、第１復調誤り訂正部２３０および第２復調誤り訂正部２４０で生成された第１のＴＳ信号ｔ２１および第２のＴＳ信号ｔ２２を、出力端子２１ｚ、２２ｚから出力する。
【０１２３】
また、ＴＳ選択部２５０は、第２のモードＭ２２において、第１のＴＳ信号ｔ２１および第２のＴＳ信号ｔ２２のうち正しく復調できているＴＳ信号を選択する。つまり、復調モジュール２００は、２つのＲＦ部で同じチャネルが選局された状態において、第１復調誤り訂正部２３０と第２復調誤り訂正部２４０とで異なる受信設定で復調処理をする。例えば、第１復調誤り訂正部２３０は、６４ＱＡＭ設定で復調処理をし、第２復調誤り訂正部２４０は、２５６ＱＡＭ設定で復調処理をする。そして、ＴＳ選択部２５０では、第１復調誤り訂正部２３０と第２復調誤り訂正部２４０のうち、正しく復調できたほうの出力を選択し、出力端子２１ｚから出力する。
【０１２４】
なお、第１復調誤り訂正部２３０および第２復調誤り訂正部２４０にて正しく復調できたか否かの指標は、例えば、各復調誤り訂正部からの同期信号やエラーフリーフラグなどに基づいて判断される。
【０１２５】
図１１Ｂは、復調モジュール２００内を伝送する信号の形態を示す図である。図１１Ｂには、第１のモードＭ２１および第２のモードＭ２２における入力端子２２の信号、および、ＴＳ選択部２５０が選択する信号が示されている。
【０１２６】
図１１Ｂに示すように、復調モジュール２００は、第１のモードＭ２１において、比較例２と同様に、２つのＴＳ信号（第１のＴＳ信号ｔ２１および第２のＴＳ信号ｔ２２）を出力することができる。また、第２のモードＭ２２では、異なる受信設定で同時に受信可否を確認し、受信が可能となったほうの復調誤り訂正部から出力されるＴＳ信号を選択し、出力することができる。
【０１２７】
これにより、複数の受信形態に対応した柔軟性の高い使い方をすることができる復調モジュール２００を提供することができる。また、第２のモードＭ２２では、放送信号をパラレルに受信してチャネルサーチを完了する時間を短縮することができる。
【０１２８】
［２−３．実施の形態２の変形例１］
実施の形態２の変形例１に係る復調モジュール２００Ａについて、図１２Ａおよび図１２Ｂを参照しながら説明する。この変形例１では、復調モジュール２００Ａが、ＴＳ選択部２５０に加え、第１選択部２６０を備えている例について説明する。
【０１２９】
図１２Ａは、実施の形態２の変形例１に係る復調モジュール２００Ａを示すブロック構成図である。
【０１３０】
変形例１の復調モジュール２００Ａは、第１ＡＤ変換部２１０と、第２ＡＤ変換部２２０と、第１復調誤り訂正部２３０と、第２復調誤り訂正部２４０と、ＴＳ選択部２５０と、第１選択部２６０と、を備えている。また、復調モジュール２００Ａは、入力端子２１、２２および出力端子２１ｚ、２２ｚを備えている。
【０１３１】
入力端子２１は、第１ＡＤ変換部２１０に接続され、入力端子２２は、第２ＡＤ変換部２２０に接続されている。第１ＡＤ変換部２１０の出力側は、第１復調誤り訂正部２３０および第１選択部２６０に接続され、第２ＡＤ変換部２２０の出力側は、第１選択部２６０に接続されている。第１選択部２６０の出力側は、第２復調誤り訂正部２４０に接続されている。第１復調誤り訂正部２３０の出力側は、ＴＳ選択部２５０に接続され、第２復調誤り訂正部２４０の出力側は、ＴＳ選択部２５０および出力端子２２ｚのそれぞれに接続されている。ＴＳ選択部２５０の出力側は、出力端子２１ｚに接続されている。
【０１３２】
入力端子２１には、第１のＩＦ信号ｉ２１が入力され、入力端子２２には、第２のＩＦ信号ｉ２２が入力される。第１のＩＦ信号ｉ２１および第２のＩＦ信号ｉ２２は、放送信号をＲＦ処理等することで生成された信号である。
【０１３３】
第１ＡＤ変換部２１０は、放送信号に基づいて生成された第１のＩＦ信号ｉ２１が入力される。第１ＡＤ変換部２１０は、第１のＩＦ信号ｉ２１に対してＡＤ変換処理を行い、ＡＤ変換処理に基づく第１の変換信号ｃ２１を生成する。第１ＡＤ変換部２１０は、第１の変換信号ｃ２１を第１復調誤り訂正部２３０および第１選択部２６０へ出力する。
【０１３４】
第１復調誤り訂正部２３０は、第１の変換信号ｃ２１に対して同期処理、波形等化処理および誤り訂正処理の少なくとも１つの処理を含む第１の復調処理を行い、第１の復調処理に基づく第１のＴＳ信号ｔ２１を生成する。第１復調誤り訂正部２３０は、第１のＴＳ信号ｔ２１をＴＳ選択部２５０へ出力する。
【０１３５】
第２ＡＤ変換部２２０は、放送信号に基づいて生成された第２のＩＦ信号ｉ２２が入力される。第２ＡＤ変換部２２０は、第２のＩＦ信号ｉ２２に対してＡＤ変換処理を行い、ＡＤ変換処理に基づく第２の変換信号ｃ２２を生成する。第２ＡＤ変換部２２０は、第２の変換信号ｃ２２を第１選択部２６０へ出力する。
【０１３６】
第１選択部２６０には、第１の変換信号ｃ２１および第２の変換信号ｃ２２が入力される。第１選択部２６０は、第１の変換信号ｃ２１および第２の変換信号ｃ２２のいずれかの変換信号を選択し、選択した信号を第１の選択信号ｓ２６として、第２復調誤り訂正部２４０へ出力する。このように、第１選択部２６０は、入力された複数の信号のうち、所定の信号を選択可能である。複数の信号のうちのいずれの信号を選択するかは、復調モジュール２００Ａの仕様または用途によって適宜設定される。
【０１３７】
第２復調誤り訂正部２４０は、入力された第１の選択信号ｓ２６に対して同期処理、波形等化処理および誤り訂正処理の少なくとも１つの処理を含む第２の復調処理を行い、第２の復調処理に基づく第２のＴＳ信号ｔ２２を生成する。第２復調誤り訂正部２４０は、第２のＴＳ信号ｔ２２をＴＳ選択部２５０および出力端子２２ｚへ出力する。
【０１３８】
ＴＳ選択部２５０には、第１のＴＳ信号ｔ２１および第２のＴＳ信号ｔ２２が入力される。ＴＳ選択部２５０は、第１のＴＳ信号ｔ２１および第２のＴＳ信号ｔ２２のいずれかのＴＳ信号を選択し、出力端子２１ｚへ出力する。
【０１３９】
第１選択部２６０は、２チャネルを受信する第１のモードＭ２１において、第２ＡＤ変換部２２０から出力された第２の変換信号ｃ２２を選択し、これを第１の選択信号ｓ２６として第２復調誤り訂正部２４０へ出力する。つまり、復調モジュール２００Ａは、同一もしくは異なるチャネルが選局された状態において、第１復調誤り訂正部２３０および第２復調誤り訂正部２４０で生成された第１のＴＳ信号ｔ２１および第２のＴＳ信号ｔ２２を、出力端子２１ｚ、２２ｚから出力する。
【０１４０】
一方、第１選択部２６０は、パラレルにチャネルを受信する第２のモードＭ２２において、第１の変換信号ｃ２１を選択し、これを第１の選択信号ｓ２６として出力する。
【０１４１】
図１２Ｂは、復調モジュール２００Ａ内を伝送する信号の形態を示す図である。図１２Ｂには、第１のモードＭ２１および第２のモードＭ２２において、第１選択部２６０が選択する信号、および、ＴＳ選択部２５０が選択する信号が示されている。
【０１４２】
図１２Ｂに示すように、復調モジュール２００Ａは、第１のモードＭ２１において、比較例２と同様に、２つのＴＳ信号を出力することができる。また、第２のモードＭ２２では、異なる受信設定で同時に受信可否を確認し、受信が可能となったほうの復調誤り訂正部から出力されるＴＳ信号を選択し、出力することができる。
【０１４３】
これにより、複数の受信形態を実現することができ、柔軟性の高い使い方をすることができる復調モジュール２００Ａを提供することができる。
【０１４４】
また、第２のモードＭ２２において、実施の形態２の復調モジュール２００では、２つのＲＦ部で同じチャネルを設定する必要があるが、変形例１の復調モジュール２００Ａでは、第１ＡＤ変換部２１０から出力された第１の変換信号ｃ２１を選択するので、入力端子２２の信号は不要となり、入力端子２２に接続されるＲＦ部の選局（チューニング）が不要となる。
【０１４５】
また、変形例１の復調モジュール２００Ａでは、常に１系統のＴＳ信号しか出力しない場合、復調モジュール２００Ａを第２のモードＭ２２で使用する場合でも、常に入力端子２２に対する入力が不要となる。この場合、受信装置のＲＦ部が１つで済み、部品点数を削減することができる。
【０１４６】
［２−４．実施の形態２の変形例２］
実施の形態２の変形例２に係る復調モジュール２００Ｂについて、図１３Ａおよび図１３Ｂを参照しながら説明する。この変形例２では、復調モジュール２００Ｂが、ＴＳ選択部２５０に加え、第２選択部２７０を備えている例について説明する。
【０１４７】
図１３Ａは、実施の形態２の変形例２に係る復調モジュール２００Ｂを示すブロック構成図である。
【０１４８】
変形例２の復調モジュール２００Ｂは、第１ＡＤ変換部２１０と、第２ＡＤ変換部２２０と、第１復調誤り訂正部２３０と、第２復調誤り訂正部２４０と、ＴＳ選択部２５０と、第２選択部２７０と、を備えている。また、復調モジュール２００Ｂは、入力端子２１、２２および出力端子２１ｚ、２２ｚを備えている。
【０１４９】
入力端子２１は、第１ＡＤ変換部２１０および第２選択部２７０に接続され、入力端子２２は、第２選択部２７０に接続されている。第２選択部２７０の出力側は、第２ＡＤ変換部２２０に接続されている。第１ＡＤ変換部２１０の出力側は、第１復調誤り訂正部２３０に接続され、第２ＡＤ変換部２２０の出力側は、第２復調誤り訂正部２４０に接続されている。第１復調誤り訂正部２３０の出力側は、ＴＳ選択部２５０に接続され、第２復調誤り訂正部２４０の出力側は、ＴＳ選択部２５０および出力端子２２ｚのそれぞれに接続されている。ＴＳ選択部２５０の出力側は、出力端子２１ｚに接続されている。
【０１５０】
入力端子２１には、第１のＩＦ信号ｉ２１が入力され、入力端子２２には、第２のＩＦ信号ｉ２２が入力される。第１のＩＦ信号ｉ２１および第２のＩＦ信号ｉ２２は、放送信号をＲＦ処理等することで生成された信号である。
【０１５１】
第１ＡＤ変換部２１０は、放送信号に基づいて生成された第１のＩＦ信号ｉ２１が入力される。第１ＡＤ変換部２１０は、第１のＩＦ信号ｉ２１に対してＡＤ変換処理を行い、第１の変換信号ｃ２１を出力する。
【０１５２】
第１復調誤り訂正部２３０は、第１の変換信号ｃ２１に対して第１の復調処理を行い、第１のＴＳ信号ｔ２１を出力する。
【０１５３】
第２選択部２７０には、第１のＩＦ信号ｉ２１および第２のＩＦ信号ｉ２２が入力される。第２選択部２７０は、第１のＩＦ信号ｉ２１および第２のＩＦ信号ｉ２２のいずれかのＩＦ信号を選択し、選択した信号を第２の選択信号ｓ２７として第２ＡＤ変換部２２０へ出力する。このように、第２選択部２７０は、入力された複数の信号のうち、所定の信号を選択可能である。複数の信号のうちのいずれの信号を選択するかは、復調モジュール２００Ｂの仕様または用途によって適宜設定される。
【０１５４】
第２ＡＤ変換部２２０には、入力された第２の選択信号ｓ２７に対してＡＤ変換処理を行い、ＡＤ変換処理に基づく第２の変換信号ｃ２２を生成する。第２ＡＤ変換部２２０は、第２の変換信号ｃ２２を第２復調誤り訂正部２４０へ出力する。
【０１５５】
第２復調誤り訂正部２４０は、第２の変換信号ｃ２２に対して第２の復調処理を行い、第２のＴＳ信号ｔ２２をＴＳ選択部２５０および出力端子２２ｚへ出力する。
【０１５６】
ＴＳ選択部２５０は、第１のＴＳ信号ｔ２１および第２のＴＳ信号ｔ２２が入力され、第１のＴＳ信号ｔ２１および第２のＴＳ信号ｔ２２のいずれかのＴＳ信号を選択し、出力端子２１ｚへ出力する。
【０１５７】
第２選択部２７０は、２チャネルを受信する第１のモードＭ２１において、入力端子２２を介して入力された第２のＩＦ信号ｉ２２を選択し、第２ＡＤ変換部２２０へ出力する。つまり、復調モジュール２００Ｂは、同一もしくは異なるチャネルが選局された状態において、第１復調誤り訂正部２３０および第２復調誤り訂正部２４０で生成された第１のＴＳ信号ｔ２１および第２のＴＳ信号ｔ２２を、出力端子２１ｚ、２２ｚから出力する。
【０１５８】
また、第２選択部２７０は、パラレルでチャネルを受信する第２のモードＭ２２において、入力端子２１を介して入力された第１のＩＦ信号ｉ２１を選択する。
【０１５９】
図１３Ｂは、復調モジュール２００Ｂ内を伝送する信号の形態を示す図である。図１３Ｂには、第１のモードＭ２１および第２のモードＭ２２において、第２選択部２７０が選択する信号、および、ＴＳ選択部２５０が選択する信号が示されている。
【０１６０】
図１３Ｂに示すように、復調モジュール２００Ｂは、第１のモードＭ２１において、比較例２と同様に、２つのＴＳ信号を出力することができる。また、第２のモードＭ２２では、異なる受信設定で同時に受信可否を確認し、受信が可能となったほうの復調誤り訂正部から出力されるＴＳ信号を選択し、出力することができる。
【０１６１】
これにより、複数の受信形態を実現することができ、柔軟性の高い使い方をすることができる復調モジュール２００Ｂを提供することができる。
【０１６２】
また、第２のモードＭ２２において、実施の形態２の復調モジュール２００では、２つのＲＦ部で同じチャネルを設定する必要があるが、変形例２の復調モジュール２００Ｂでは、第１ＡＤ変換部２１０から出力された第１の変換信号ｃ２１を選択するので、入力端子２２の信号は不要となり、入力端子２２に接続されるＲＦ部の選局が不要となる。
【０１６３】
また、変形例２の復調モジュール２００Ｂでは、常に１系統のＴＳ信号しか出力しない場合、復調モジュール２００Ｂを第２のモードＭ２２で使用する場合でも、常に入力端子２２に対する入力が不要となる。この場合、受信装置のＲＦ部が１つで済み、部品点数を削減することができる。
【０１６４】
［２−５．効果等］
本実施の形態の復調モジュール２００は、デジタル放送の放送信号を復調処理し、２系統のＴＳ信号を出力する復調モジュールであって、放送信号に基づいて生成された第１のＩＦ信号ｉ２１が入力され、第１のＩＦ信号ｉ２１に対してＡＤ変換処理を行い、ＡＤ変換処理に基づく第１の変換信号ｃ２１を出力する第１ＡＤ変換部２１０と、第１の変換信号ｃ２１に対して同期処理、波形等化処理および誤り訂正処理の少なくとも１つの処理を含む第１の復調処理を行い、第１の復調処理に基づく第１のＴＳ信号ｔ２１を出力する第１復調誤り訂正部２３０と、放送信号に基づいて生成された第２のＩＦ信号ｉ２２が入力され、第２のＩＦ信号ｉ２２に対してＡＤ変換処理を行い、ＡＤ変換処理に基づく第２の変換信号ｃ２２を出力する第２ＡＤ変換部２２０と、第２の変換信号ｃ２２に対して同期処理、波形等化処理および誤り訂正処理の少なくとも１つの処理を含む第２の復調処理を行い、第２の復調処理に基づく第２のＴＳ信号ｔ２２を出力する第２復調誤り訂正部２４０と、第１のＴＳ信号ｔ２１および第２のＴＳ信号ｔ２２が入力され、第１のＴＳ信号ｔ２１および第２のＴＳ信号ｔ２２のいずれかのＴＳ信号を選択して出力するＴＳ選択部２５０と、を備える。
【０１６５】
これによれば、復調モジュール２００が２つのＴＳ信号（第１のＴＳ信号ｔ２１および第２のＴＳ信号ｔ２２）を別々に出力すること、または、２つのＴＳ信号のいずれか一方を出力することができる。これにより、様々な受信形態に対応することができる汎用性の高い復調モジュール２００を提供することができる。
【０１６６】
また、復調モジュール２００は、第１のモードＭ２１および第２のモードＭ２２を有し、ＴＳ選択部２５０は、第１のモードＭ２１において第１のＴＳ信号ｔ２１を選択し、第２のモードＭ２２において、第１のＴＳ信号ｔ２１および第２のＴＳ信号ｔ２２のうち正しく復調できているＴＳ信号を選択してもよい。
【０１６７】
これによれば、第１のモードＭ２１にて２つのＴＳ信号を別々に出力すること、または、第２のモードＭ２２にて２つのＴＳ信号のうちの正しく復調できているＴＳ信号を出力することができる。これにより、様々な受信形態に対応することができる汎用性の高い復調モジュール２００を提供することができる。
【０１６８】
また、第１のモードＭ２１は、複数のチャネルの放送信号を通常受信するモードであり、第２のモードＭ２２は、受信可能な放送信号をパラレルに受信するモードであってもよい。
【０１６９】
これによれば、放送信号を通常受信するときに、２つのＴＳ信号を別々に出力すること、または、受信可能な放送信号をパラレルに受信するときに、２つのＴＳ信号のうちの正しく復調できているＴＳ信号を出力することができる。これにより、様々な受信形態に対応することができる汎用性の高い復調モジュール２００を提供することができる。
【０１７０】
また、復調モジュール２００Ａは、さらに、第１の変換信号ｃ２１および第２の変換信号ｃ２２が入力され、第１の変換信号ｃ２１および第２の変換信号ｃ２２のいずれかを選択して、選択した信号を第１の選択信号ｓ２６として出力する第１選択部２６０を備えている。第１選択部２６０は、第１のモードＭ２１において第２の変換信号ｃ２２を第１の選択信号ｓ２６として出力し、または、第２のモードＭ２２において第１の変換信号ｃ２１を第１の選択信号ｓ２６として出力してもよい。第２復調誤り訂正部２４０は、第２の変換信号ｃ２２の代わりに第１の選択信号ｓ２６が入力され、当該第１の選択信号ｓ２６に対して第２の復調処理を行い、第２の復調処理に基づく第２のＴＳ信号ｔ２２を出力してもよい。
【０１７１】
これによれば、第１のモードＭ２１にて２つのＴＳ信号を別々に出力すること、または、第２のモードＭ２２にて２つのＴＳ信号のうちの１つのＴＳ信号を出力することができる。これにより、様々な受信形態に対応することができる汎用性の高い復調モジュール２００Ａを提供することができる。
【０１７２】
また、復調モジュール２００Ｂは、さらに、第１のＩＦ信号ｉ２１および第２のＩＦ信号ｉ２２が入力され、第１のＩＦ信号ｉ２１および第２のＩＦ信号ｉ２２のいずれかを選択して第２の選択信号ｓ２７として出力する第２選択部２７０を備えている。第２選択部２７０は、第１のモードＭ２１において第２のＩＦ信号ｉ２２を第２の選択信号ｓ２７として出力し、または、第２のモードＭ２２において第１のＩＦ信号ｉ２１を第２の選択信号ｓ２７として出力する。第２ＡＤ変換部２２０は、第２のＩＦ信号ｉ２２の代わりに第２の選択信号ｓ２７が入力され、当該第２の選択信号ｓ２７に対してＡＤ変換処理を行い、ＡＤ変換処理に基づく第２の変換信号ｃ２２を出力してもよい。
【０１７３】
これによれば、第１のモードＭ２１にて２つのＴＳ信号を別々に出力すること、または、第２のモードＭ２２にて２つのＴＳ信号のうちの１つのＴＳ信号を出力することができる。これにより、様々な受信形態に対応することができる汎用性の高い復調モジュール２００Ｂを提供することができる。
【０１７４】
なお、実施の形態２では、第２のモードＭ２２において、第１復調誤り訂正部２３０は６４ＱＡＭ設定とし、第２復調誤り訂正部２４０は２５６ＱＡＭ設定とし、第１復調誤り訂正部２３０と第２復調誤り訂正部２４０とで異なる受信設定で復調処理をしたが、これに限られない。例えば、受信設定は、１６ＱＡＭなどの設定であってもよい。
【０１７５】
また、受信設定は、第１復調誤り訂正部２３０と第２復調誤り訂正部２４０とで共通（例えば、どちらも６４ＱＡＭなど）とし、その他の受信パラメータを第１復調誤り訂正部２３０と第２復調誤り訂正部２４０とで変えてもよい。変える場合の受信パラメータとしては、例えば、波形等化用のイコライザーのタップ数、ステップサイズ、周波数同期や位相同期のループフィルタ係数等が挙げられる。受信信号は、マルチパスや狭帯域妨害など様々な干渉の影響を受け、これらの受信パラメータ設定の差異により、マルチパス環境に強いが狭帯域妨害に弱いといったトレードオフがある。このトレードオフの関係のパラメータ群を、例えば、第１復調誤り訂正部２３０をマルチパス環境重視のパラメータ設定とし、第２復調誤り訂正部２４０を狭帯域妨害重視のパラメータ設定とすることで、いずれか受信状態の良好な設定でのＴＳ信号を選択して出力することができる。これにより、対応可能な受信環境を広げることが可能となる。
【０１７６】
また、チャネルサーチによって受信可能となった受信パラメータをメモリ（図示省略）に記憶しておき、通常受信時に、メモリに記憶した受信パラメータを用いて、第１復調誤り訂正部２３０または第２復調誤り訂正部２４０の処理を実行してもよい。
【０１７７】
復調モジュール２００〜２００Ｂは、それぞれ複数のチップを組み合わせて構成されてもよいし、それぞれ１つのＬＳＩで構成されてもよい。また、入力端子２１、２２および、出力端子２１ｚ、出力端子２２ｚは、端子の群であり、１つ以上の端子ピンで構成されていてもよい。
【０１７８】
（実施の形態３）
［３−１．本開示に至る経緯］
本開示に至る経緯について、比較例３である図１４Ａおよび図１４Ｂを参照しながら説明する。
【０１７９】
ＴＶの裏番組を録画するために、複数のチャネル（Ｃｈａｎｎｅｌ）の放送信号を複数のＲＦ部（チューナ）に入力する受信装置が知られている。受信装置には、複数のＲＦ部から出力された信号をデジタル変換して復調した後、複数のＴＳ信号を出力する復調モジュールが内蔵されている。なお、本実施の形態では、映像／音声の出力形式をＴＳとして説明するが、それに限られず、ＴＬＶパケットの出力形式をＴＳとしてもよい。
【０１８０】
図１４Ａは、比較例３の復調モジュール３０００を示すブロック構成図である。
【０１８１】
比較例３の復調モジュール３０００は、復調部３３１０と、復調部３３２０と、信号整形部３３３０と、信号整形部３３４０とを備えている。また、復調モジュール３０００は、入力端子３１、３２および出力端子３１ａ、３２ａを備えている。
【０１８２】
入力端子３１、３２には、２つのＲＦ部（図示省略）から出力された、同一もしくは異なるチャネルの信号が入力される。
【０１８３】
入力端子３１を介して入力された信号は、復調部３３１０にてＡＤ変換処理、復調処理および誤り訂正処理が実行される。復調部３３１０から出力された信号は、信号整形部３３３０にて、ＴＳ信号のデータ形式が１ｂｉｔのシリアル形式または８ｂｉｔのパラレル形式となるように整形される。整形されたＴＳ信号は、出力端子３１ａから出力される。
【０１８４】
入力端子３２を介して入力された信号は、復調部３３２０にてＡＤ変換処理、復調処理および誤り訂正処理が実行される。復調部３３２０から出力された信号は、信号整形部３３４０にて、ＴＳ信号のデータ形式が１ｂｉｔのシリアル形式または８ｂｉｔのパラレル形式となるように整形される。整形されたＴＳ信号は、出力端子３２ａから出力される。
【０１８５】
出力端子３１ａおよび３２ａは、少なくとも１つ以上の端子から構成される端子群である。
【０１８６】
図１４Ｂは、比較例３の復調モジュール３０００の出力端子３１ａ、３２ａの端子割り当てを示す図である。
【０１８７】
図１４Ｂに示すクロックは、ＴＳデータのタイミングを示すクロックであり、パケット同期信号は、パケットの先頭を示す信号であり、Ｖａｌｉｄ信号は、有効データを示す信号である。データは、１ｂｉｔシリアル形式においてデータ０であり、８ｂｉｔパラレル形式においてデータ０〜７である。汎用出力信号は、汎用的に使用できる信号であり、復調の状態（同期、エラー有無）などを示すことに使用できる。この端子割り当てにより、同一もしくは異なるチャネルを受信し、２つのＴＳ信号を出力している。
【０１８８】
昨今において、復調モジュールの実装面積を小さくすることが望まれているが、このような複数チャネルを受信する復調モジュールは、端子が多くなるため、復調モジュールを小さくすることが困難である。
【０１８９】
それに対し本開示の復調モジュールは、以下に示す構成を有することで、様々な受信形態に対応する端子割り当てを有し、柔軟性の高い使い方をすることができる。
【０１９０】
［３−２．復調モジュールの構成］
実施の形態３に係る復調モジュール３００の構成について、図１５〜図１９を参照しながら説明する。
【０１９１】
図１５は、実施の形態３に係る復調モジュール３００を示すブロック構成図である。
【０１９２】
図１５に示すように、復調モジュール３００は、第１復調部３１０、第２復調部３２０、第１信号整形部３３０、第２信号整形部３４０および出力選択部３５０を備える。また、復調モジュール３００は、入力端子３１、３２および出力端子３１ｚ、３２ｚを備える。
【０１９３】
入力端子３１は、第１復調部３１０に接続され、入力端子３２は、第２復調部３２０に接続されている。第１復調部３１０の出力側は、第１信号整形部３３０に接続され、第２復調部３２０の出力側は、第２信号整形部３４０に接続されている。第１信号整形部３３０および第２信号整形部３４０の出力側は、出力選択部３５０に接続されている。出力選択部３５０の出力側は、出力端子３１ｚおよび３２ｚに接続されている。
【０１９４】
入力端子３１には、第１のＩＦ信号ｉ３１が入力され、入力端子３２には、第２のＩＦ信号ｉ３２が入力される。第１のＩＦ信号ｉ３１および第２のＩＦ信号ｉ３２は、放送信号をＲＦ処理等することで生成された信号である。
【０１９５】
第１復調部３１０には、放送信号に基づいて生成された第１のＩＦ信号ｉ３１が入力される。第１復調部３１０は、第１のＩＦ信号ｉ３１に対して復調処理を行って第１のＴＳ信号ｔ３１を生成し、第１のＴＳ信号ｔ３１を第１信号整形部３３０へ出力する。
【０１９６】
第１信号整形部３３０は、第１のＴＳ信号ｔ３１を整形して所定の出力形式を有する第１の整形ＴＳ信号ｆ３１を生成する。例えば、第１信号整形部３３０は、第１のＴＳ信号ｔ３１を整形して、１ビット形式、２ビット形式および８ビット形式のいずれかの形式を有する第１の整形ＴＳ信号ｆ３１を生成する。第１信号整形部３３０は、第１の整形ＴＳ信号ｆ３１を出力選択部３５０へ出力する。
【０１９７】
第２復調部３２０には、放送信号に基づいて生成された第２のＩＦ信号ｉ３２が入力される。第２復調部３２０は、第２のＩＦ信号ｉ３２に対して復調処理を行って第２のＴＳ信号ｔ３２を生成し、第２のＴＳ信号ｔ３２を第２信号整形部３４０へ出力する。
【０１９８】
第２信号整形部３４０は、第２のＴＳ信号ｔ３２を整形して所定の出力形式を有する第２の整形ＴＳ信号ｆ３２を生成する。例えば、第２信号整形部３４０は、第２のＴＳ信号ｔ３２を整形して、１ビット形式、２ビット形式および８ビット形式のいずれかの形式を有する第２の整形ＴＳ信号ｆ３２を生成する。第２信号整形部３４０は、第２の整形ＴＳ信号ｆ３２を出力選択部３５０へ出力する。
【０１９９】
出力選択部３５０には、第１の整形ＴＳ信号ｆ３１および第２の整形ＴＳ信号ｆ３２が入力される。出力選択部３５０は、第１の整形ＴＳ信号ｆ３１および第２の整形ＴＳ信号ｆ３２を第１出力端子群Ｇ３１および第２出力端子群Ｇ３２（図１７参照）へ振り分けて出力する。すなわち、復調モジュール３００では、第１の整形ＴＳ信号ｆ３１および第２の整形ＴＳ信号ｆ３２という２系統のＴＳ信号を出力する。このように、出力選択部３５０は、入力された複数の信号のうち、所定の信号を選択可能である。複数の信号のうちのいずれの信号を選択するかは、復調モジュール３００の仕様または用途によって適宜設定される。
【０２００】
本実施の形態の復調モジュール３００は、第１出力形態Ｍ３１および第２出力形態Ｍ３２のいずれかの形態を有する。
【０２０１】
第１出力形態Ｍ３１は、第１信号整形部３３０が１ビット形式の第１の整形ＴＳ信号ｆ３１を出力して、出力選択部３５０が第１の整形ＴＳ信号ｆ３１を第１出力端子群Ｇ３１へ出力し、かつ、第２信号整形部３４０が１ビット形式の第２の整形ＴＳ信号ｆ３２を出力して、出力選択部３５０が、第２の整形ＴＳ信号ｆ３２を第２出力端子群Ｇ３２へ出力する形態である。
【０２０２】
第２出力形態Ｍ３２は、第１信号整形部３３０が８ビット形式の第１の整形ＴＳ信号ｆ３１を出力して、出力選択部３５０が、第１の整形ＴＳ信号ｆ３１を第１出力端子群Ｇ３１および第２出力端子群Ｇ３２へ分割して出力する形態である。
【０２０３】
すなわち、出力選択部３５０では、第１の整形ＴＳ信号ｆ３１と第２の整形ＴＳ信号ｆ３２を同時出力する場合と、第１の整形ＴＳ信号ｆ３１のみを出力する場合と、第２の整形ＴＳ信号ｆ３２のみを出力する場合とで、端子の割り当てを変える。そのために、出力選択部３５０は、出力信号を選択する機能を有している。
【０２０４】
図１６は、復調モジュール３００を備える受信装置３０１を示すブロック構成図である。図１７は、復調モジュール３００の出力端子３１ｚ、３２ｚの端子割り当てを示す図である。
【０２０５】
図１７に示す出力端子３１ｚは、複数の端子Ｔ１、Ｔ２、Ｔ３、Ｔ４、Ｔ５、Ｔ６によって構成される第１出力端子群Ｇ３１である。図１７に示す出力端子３２ｚは、複数の端子Ｔ７、Ｔ８、Ｔ９、Ｔ１０、Ｔ１１、Ｔ１２によって構成される第２出力端子群Ｇ３２である。復調モジュール３００は、ＬＳＩで構成されていてもよい。その場合のパッケージ上の端子ピンのピッチは、例えば０．４ｍｍ以下であり、パッケージサイズは、例えば４９ｍｍ２以下である。端子群の端子のピン数は６４ｐｉｎ以下であってもよい。ダイバッドをエクスポーズパッド（Ｅｘｐｏｓｅｄ  Ｐａｄ）として使用する場合は、端子のピン数は６５ｐｉｎ以下であってもよい。なお、端子Ｔ１〜Ｔ６は一例であり、端子数や並び順は本例に限られない。また、パラレル時のビット数は２ビットや８ビットに限られない。
【０２０６】
図１６の（ａ）および図１７の（ａ）には、第１出力形態Ｍ３１を有する復調モジュール３００が示されている。第１出力形態Ｍ３１では、１ｂｉｔシリアル形式で第１出力端子群Ｇ３１（出力端子３１ｚ）から第１の整形ＴＳ信号ｆ３１のみが出力され、１ｂｉｔシリアル形式で第２出力端子群Ｇ３２（出力端子３２ｚ）から第２の整形ＴＳ信号ｆ３２のみが出力される。第１出力形態Ｍ３１では、８ｂｉｔパラレル形式ではなく、１ｂｉｔシリアル形式のみの信号が出力される。
【０２０７】
図１６の（ｂ）および図１７の（ｂ）には、第２出力形態Ｍ３２を有する復調モジュール３００が示されている。第２出力形態Ｍ３２では、８ｂｉｔパラレル形式で第１出力端子群Ｇ３１および第２出力端子群Ｇ３２から第１の整形ＴＳ信号ｆ３１のみが出力されている。
【０２０８】
図１６の（ｃ）および図１７の（ｃ）には、１ｂｉｔシリアル形式で第１出力端子群Ｇ３１から第１の整形ＴＳ信号ｆ３１のみが出力される端子割り当てが示されている。
【０２０９】
図１６の（ｄ）および図１７の（ｄ）には、第３出力形態Ｍ３３を有する復調モジュール３００が示されている。第３出力形態Ｍ３３は、第２信号整形部３４０が８ビット形式の第２の整形ＴＳ信号ｆ３２を出力して、出力選択部３５０が第２の整形ＴＳ信号ｆ３２を第１出力端子群Ｇ３１および第２出力端子群Ｇ３２へ分割して出力する形態である。第３出力形態Ｍ３３では、８ｂｉｔパラレル形式で第１出力端子群Ｇ３１および第２出力端子群Ｇ３２から第２の整形ＴＳ信号ｆ３２が分割して出力される。
【０２１０】
図１６の（ｅ）および図１７の（ｅ）には、１ｂｉｔシリアル形式で出力端子３１ｚから第２の整形ＴＳ信号ｆ３２のみが出力される端子割り当てが示されている。
【０２１１】
上記復調モジュール３００では、第１の整形ＴＳ信号ｆ３１と第２の整形ＴＳ信号ｆ３２を同時に出力する時は、８ｂｉｔパラレル形式を取りやめることで、全体の端子数を削減することができる。また、復調モジュール３００を、１つの整形ＴＳ信号（ｆ３１もしくはｆ３２）の出力として使用する場合に、余った端子を有効に使うことで、比較例３と同様に８ｂｉｔパラレル形式の出力も可能となる。
【０２１２】
このように、復調モジュール３００の端子を削減することで復調モジュール３００の小型化をはかりつつ、２つのチャネルのＴＳ信号を出力することが可能である。
【０２１３】
なお、上記では、第１信号整形部３３０および第２信号整形部３４０にて１ｂｉｔシリアル形式または８ｂｉｔパラレル形式の形式で整形する例を説明したが、これに限られず、例えば、２ｂｉｔパラレル形式で整形してもよい。２ｂｉｔパラレル形式の場合は、データ０〜１としてもよい。
【０２１４】
図１８は、他の例の復調モジュール３００を備える受信装置３０１を示すブロック構成図である。図１９は、他の例の復調モジュール３００の出力端子３１ｚ、３２ｚの端子割り当てを示す図である。
【０２１５】
図１８の（ａ）および図１９の（ａ）には、２ｂｉｔパラレル形式で第１出力端子群Ｇ３１から第１の整形ＴＳ信号ｆ３１のみが出力され、２ｂｉｔパラレル形式で第２出力端子群Ｇ３２から第２の整形ＴＳ信号ｆ３２のみが出力される端子割り当てが示されている。
【０２１６】
図１８の（ｂ）および図１９の（ｂ）には、第４出力形態Ｍ３４を有する復調モジュール３００が示されている。第４出力形態Ｍ３４は、第２信号整形部３４０が２ビット形式を有する第２の整形ＴＳ信号ｆ３２を出力して、出力選択部３５０が第２の整形ＴＳ信号ｆ３２を第１出力端子群Ｇ３１のみへ出力する形態である。第４出力形態Ｍ３４では、２ｂｉｔパラレル形式で第１出力端子群Ｇ３１から第２の整形ＴＳ信号ｆ３２が出力される。
【０２１７】
図１７および図１９に示す端子割り当てにより、様々な受信形態に対応した汎用性の高い復調モジュール３００を提供することができる。
【０２１８】
［３−３．実施の形態３の変形例１］
実施の形態３の変形例１に係る復調モジュール３００Ａについて、図２０を参照しながら説明する。
【０２１９】
図２０は、実施の形態３の変形例１に係る復調モジュール３００Ａを示すブロック構成図である。
【０２２０】
変形例１の復調モジュール３００Ａは、図１５に示す復調モジュール３００に対して第２復調部３２０および第２信号整形部３４０を除いた構成とし、一方で、復調モジュール３００Ａにおける端子数と大きさを、復調モジュール３００と同一としている。
【０２２１】
実施の形態３の復調モジュール３００は、２つの復調処理により２つのＴＳ信号を出力するのに対し、変形例１の復調モジュール３００Ａは、１つの復調処理により、１つのＴＳ信号を出力する。復調モジュール３００Ａにて必要となる端子数は復調モジュール３００より少ないが、変形例１ではあえて、復調モジュール３００Ａの端子数を復調モジュール３００と同じにし、形状も同じにする。さらに、復調モジュール３００Ａのうち復調モジュール３００と共通の構成部分にまつわる端子の場所も復調モジュール３００と同一とする。これは、復調モジュール３００および復調モジュール３００ＡをそれぞれＬＳＩとして実現した場合、外観形状が同じになるということである。
【０２２２】
このような構成により、２つのＴＳ信号を出力する復調モジュール３００と、１つのＴＳ信号を出力する復調モジュール３００Ａとの入力／出力の端子数およびモジュールの形状を同一にする。そのため、復調モジュール３００と復調モジュール３００Ａのどちらか一方のみを用いる受信装置において、同一の基板を用いることができ、同じエリアに、復調モジュール３００または復調モジュール３００Ａを選択して実装することができ、出力するＴＳ信号の数に関わらず、共通の基板を使用することができる。
【０２２３】
つまり、対応するチャネル数の異なる受信装置のラインナップ（例えば１つのチャネルを受信可能な受信装置と２つのチャネルを受信可能な受信装置）を構築するにあたって、共通の基板を用いることができ、製造コストを削減することができる。
【０２２４】
また、例えば、１つのＴＳ用の復調モジュールと２つのＴＳ用の復調モジュールの形状が異なる場合に、両方の実装エリアを確保して、どちらか一方のみを実装することで、共通基板とすることもできるが、この場合は、異なるモジュール形状のため、両方のエリア確保が必要となり、基板サイズが大きくなってしまう。それに対し、この復調モジュール３００Ａを用いることで、復調モジュール３００Ａのエリアを１つとすることができ、基板サイズを小さくすることができる。
【０２２５】
なお、復調モジュール３００ＡをＬＳＩで構成する場合、そのパッケージ上の端子ピンのピッチは、例えば０．４ｍｍ以下であり、パッケージサイズは、例えば４９ｍｍ２以下である。ダイバッドをエクスポーズパッド（Ｅｘｐｏｓｅｄ  Ｐａｄ）として使用する場合は、端子のピン数は６５ｐｉｎ以下である。
【０２２６】
［３−４．実施の形態３の変形例２］
実施の形態３の変形例２に係る復調モジュール３００Ｂについて、図２１および図２２を参照しながら説明する。
【０２２７】
図２１は、実施の形態３の変形例２に係る復調モジュール３００Ｂを示すブロック構成図である。図２２は、復調モジュール３００Ｂの出力端子の端子割り当てを示す図である。
【０２２８】
変形例２の復調モジュール３００Ｂは、２つの出力系統を複数持つ復調モジュールを有している。例えば、復調モジュール３００Ｂは、２つの復調モジュール３００Ａを有しているとしてもよい。
【０２２９】
２つの復調モジュール３００Ａのうちの一方の復調モジュール３００Ａは、出力端子３１ｚと出力端子３２ｚを有しており、１ｂｉｔシリアル形式では、出力端子３１ｚからＴＳ信号を出力し、８ｂｉｔパラレル形式では、出力端子３１ｚおよび出力端子３２ｚを介してＴＳ信号を出力する。なお、一方の復調モジュール３００Ａの出力端子３１ｚは、復調モジュール３００Ｂの出力端子３６ｚに接続されているが、出力端子３２ｚは、復調モジュール３００Ｂの出力端子に接続されていない。
【０２３０】
他方の復調モジュール３００Ａも、出力端子３１ｚと出力端子３２ｚを有しており、１ｂｉｔシリアル形式では、出力端子３１ｚからＴＳ信号を出力し、８ｂｉｔパラレル形式では、出力端子３１ｚおよび出力端子３２ｚを介してＴＳ信号を出力する。なお、他方の復調モジュール３００Ａの出力端子３１ｚは、復調モジュール３００Ｂの出力端子３７ｚに接続されているが、出力端子３２ｚは、復調モジュール３００Ｂの出力端子に接続されていない。これにより、複数の復調モジュール３００Ａを内蔵した復調モジュール３００Ｂは、パラレル形式の出力をしないことで、出力端子の数を削減することができ、小型化が可能となる。
【０２３１】
なお、２つの復調モジュール３００ＡはそれぞれＬＳＩとして構成されてもよく、復調モジュール３００Ｂは、これらを内蔵したＳＩＰ（Ｓｙｓｔｅｍ  ｉｎ  Ｐａｃｋａｇｅ）構成であってもよい。そのＳＩＰパッケージ上の端子ピンのピッチは、例えば０．４ｍｍ以下であり、端子の断面は、例えば４９ｍｍ２以下である。端子群の端子のピン数は６４ｐｉｎ以下であってもよい。ダイバッドをエクスポーズパッドとして使用する場合は、端子のピン数は６５ｐｉｎ以下であってもよい。
【０２３２】
なお、上記において、端子ピン数を６４ｐｉｎ以下としているが、これは以下のためである。現在、ＴＶ用の復調モジュールとして１ＴＳ用（シングル用）は７×７＝４９ｍｍ２の大きさであり、実装面積削減のため、２ＴＳ用の復調モジュールも同等以下の端子ピン数が望まれる。この大きさにおいて０．４ｍｍピッチのピン配置では約６４ｐｉｎが上限となり、端子ピン数としては６４ｐｉｎ以下が望まれる。そのため、端子ピン数は６４ｐｉｎ以下とし、ダイバッドをエクスポーズパッドとして使用する場合は、端子ピン数は６５ｐｉｎ以下とするのが望ましい。
【０２３３】
［３−５．効果等］
本実施の形態の復調モジュール３００は、デジタル放送の放送信号を復調処理し、１系統または２系統のＴＳ信号を出力する復調モジュールであって、複数の端子Ｔ１〜Ｔ６を有する第１出力端子群Ｇ３１および端子Ｔ１〜Ｔ６と異なる複数の端子Ｔ７〜Ｔ１２を有する第２出力端子群Ｇ３２と、放送信号に基づいて生成された第１のＩＦ信号ｉ３１を復調処理して、復調処理に基づく第１のＴＳ信号ｔ３１を出力する第１復調部３１０と、放送信号に基づいて生成された第２のＩＦ信号ｉ３２を復調処理して、復調処理に基づく第２のＴＳ信号ｔ３２を出力する第２復調部３２０と、第１のＴＳ信号ｔ３１を整形して所定の出力形式を有する第１の整形ＴＳ信号ｆ３１を出力する第１信号整形部３３０と、第２のＴＳ信号ｔ３２を整形して所定の出力形式を有する第２の整形ＴＳ信号ｆ３２を出力する第２信号整形部３４０と、第１の整形ＴＳ信号ｆ３１および第２の整形ＴＳ信号ｆ３２が入力され、第１の整形ＴＳ信号ｆ３１および第２の整形ＴＳ信号ｆ３２を第１出力端子群Ｇ３１および第２出力端子群Ｇ３２へ振り分けて出力する出力選択部３５０と、を備える。
【０２３４】
このように、復調モジュール３００が、２つのＴＳ信号を第１出力端子群Ｇ３１および第２出力端子群Ｇ３２へ振り分けて出力する出力選択部３５０を備えることで、様々な受信形態に対応することができる汎用性の高い復調モジュール３００を提供することができる。
【０２３５】
また、復調モジュール３００は、第１出力形態Ｍ３１または第２出力形態Ｍ３２による形態を有する。第１出力形態Ｍ３１は、第１信号整形部３３０が１ビット形式の第１の整形ＴＳ信号ｆ３１を出力して、出力選択部３５０が当該第１の整形ＴＳ信号ｆ３１を第１出力端子群Ｇ３１から出力し、かつ、第２信号整形部３４０が１ビット形式の第２の整形ＴＳ信号ｆ３２を出力して、出力選択部３５０が、当該第２の整形ＴＳ信号ｆ３２を第２出力端子群Ｇ３２から出力する形態である。第２出力形態Ｍ３２は、第１信号整形部３３０が８ビット形式の第１の整形ＴＳ信号ｆ３１を出力して、出力選択部３５０が、当該第１の整形ＴＳ信号ｆ３１を第１出力端子群Ｇ３１と第２出力端子群Ｇ３２とに分割して出力する形態である。
【０２３６】
このように、復調モジュール３００が、第１出力形態Ｍ３１または第２出力形態Ｍ３２による形態を有することで、様々な受信形態に対応することができる汎用性の高い復調モジュール３００を提供することができる。
【０２３７】
また、復調モジュール３００は、さらに、第３出力形態Ｍ３３を有する。第３出力形態Ｍ３３は、第２信号整形部３４０が８ビット形式の第２の整形ＴＳ信号ｆ３２を出力して、出力選択部３５０が当該第２の整形ＴＳ信号ｆ３２を第１出力端子群Ｇ３１および第２出力端子群Ｇ３２へ分割して出力する形態である。
【０２３８】
このように、復調モジュール３００が、さらに、第３出力形態Ｍ３３を有することで、様々な受信形態に対応することができる汎用性の高い復調モジュール３００を提供することができる。
【０２３９】
また、第１信号整形部３３０は、第１のＴＳ信号ｔ３１を整形して、１ビット形式、２ビット形式および８ビット形式のいずれかの形式を有する第１の整形ＴＳ信号ｆ３１を生成し、第２信号整形部３４０は、第２のＴＳ信号ｔ３２を整形して、１ビット形式、２ビット形式および８ビット形式のいずれかの形式を有する第２の整形ＴＳ信号ｆ３２を生成する。復調モジュール３００は、さらに、第４出力形態Ｍ３４を有する。第４出力形態Ｍ３４は、第２信号整形部３４０が２ビット形式を有する第２の整形ＴＳ信号ｆ３２を出力して、出力選択部３５０が当該第２の整形ＴＳ信号ｆ３２を第１出力端子群Ｇ３１のみへ出力する形態である。
【０２４０】
このように、復調モジュール３００が、さらに、第４出力形態Ｍ３４を有することで、様々な受信形態に対応することができる汎用性の高い復調モジュール３００を提供することができる。
【０２４１】
（実施の形態４）
［４−１．本開示に至る経緯］
本開示に至る経緯について、比較例４である図２３を参照しながら説明する。
【０２４２】
デジタル放送である衛星放送と地上放送を受信する受信装置において、ＲＦ部（チューナ）は、衛星放送に対してはＩＦ周波数をベースバンド信号（Ｉ軸、Ｑ軸）に変換し、地上放送（地上波放送およびケーブル放送を含む）に対してはＲＦ周波数をＩＦ信号に変換し、変換後の信号を復調モジュールへ出力する。
【０２４３】
図２３は、比較例４の復調モジュール４０００を示すブロック構成図である。
【０２４４】
比較例４の復調モジュール４０００は、衛星放送および地上放送を選択して復調し、ＴＳ信号を出力する。比較例４の復調モジュール４０００は、ＡＤ変換部４４１０、ＡＤ変換部４４２０、ＡＤ変換部４４３０と、復調誤り訂正部４４４０と、入力端子４１、４２、４３と、出力端子４１ｚとを備える。
【０２４５】
ＡＤ変換部４４１０およびＡＤ変換部４４２０は、衛星放送用のベースバンド信号を、アナログ信号からデジタル信号に変換し、復調誤り訂正部４４４０により衛星放送の復調処理を行い、衛星放送のＴＳ信号を出力端子４１ｚから出力する。
【０２４６】
ＡＤ変換部４４３０は、地上放送のＩＦ信号を、アナログ信号からデジタル信号に変換し、復調誤り訂正部４４４０により地上放送の復調処理を行い、地上放送のＴＳ信号を出力端子４１ｚから出力する。
【０２４７】
例えば、各ＡＤ変換部は、衛星放送用と地上放送用とでは受信帯域幅と動作クロック、要求されるｂｉｔ分解能が異なり、それぞれの放送方式を考慮したＡＤ変換部として分けるため、比較例４ではＡＤ変換部が３つ必要である。そのため、２つのチャネルを受信する復調モジュールの場合、ＡＤ変換部が６つ必要となり、回路規模が大きくなるという問題がある。
【０２４８】
それに対し本開示の復調モジュールは、様々な受信形態に対応する回路を有し、柔軟性の高い使い方をすることができる。
【０２４９】
［４−２．復調モジュールの構成］
実施の形態４に係る復調モジュール４００について、図２４を参照しながら説明する。実施の形態４に係る復調モジュール４００は、デジタル放送の放送信号である衛星放送信号または地上放送信号を復調処理し、ＴＳ信号を生成する復調モジュールである。
【０２５０】
図２４は、実施の形態４に係る復調モジュール４００を示すブロック構成図である。
【０２５１】
図２４に示すように、復調モジュール４００は、第１ＡＤ変換部４１０と、第２ＡＤ変換部４２０と、第１選択部４３０と、復調誤り訂正部４５０とを備えている。また、復調モジュール４００は、入力端子４１、４２、４３と、出力端子４１ｚとを備えている。
【０２５２】
入力端子４１は、第１ＡＤ変換部４１０に接続され、入力端子４２および４３は、第１選択部４３０に接続されている。第１選択部４３０の出力側は、第２ＡＤ変換部４２０に接続されている。第１ＡＤ変換部４１０の出力側および第２ＡＤ変換部４２０の出力側は、復調誤り訂正部４５０に接続されている。復調誤り訂正部４５０の出力側は、出力端子４１ｚに接続されている。
【０２５３】
入力端子４１には、第１のＲＦ部から出力されたベースバンドＩ信号ｂ４１が入力され、入力端子４２には、第１のＲＦ部から出力されたベースバンドＱ信号ｂ４２が入力される。ベースバンドＩ信号ｂ４１およびベースバンドＱ信号ｂ４２は、衛星放送信号をＲＦ処理等することで生成された信号である。入力端子４３には、第２のＲＦ部から出力されたＩＦ信号ｉ４１が入力される。
【０２５４】
第１ＡＤ変換部４１０には、放送信号に基づいて生成されたベースバンドＩ信号ｂ４１およびベースバンドＱ信号のうちの一方の信号が入力される。第１ＡＤ変換部４１０は、入力された上記一方の信号に対しＡＤ変換処理を行い、ＡＤ変換処理に基づく第１の変換信号ｃ４１を生成する。本実施の形態では、第１ＡＤ変換部４１０は、ベースバンドＩ信号ｂ４１が入力され、ベースバンドＩ信号ｂ４１に対してＡＤ変換処理を行って、第１の変換信号ｃ４１を生成する。第１ＡＤ変換部４１０は、第１の変換信号ｃ４１を復調誤り訂正部４５０へ出力する。
【０２５５】
第１選択部４３０には、入力端子４２を介してベースバンドＩ信号ｂ４１およびベースバンドＱ信号のうちの他方の信号が入力され、また、入力端子４３を介してＩＦ信号ｉ４１が入力される。ＩＦ信号ｉ４１は、地上放送信号をＲＦ処理等することで生成された信号である。第１選択部４３０には、衛星放送信号および地上放送信号のいずれの信号処理を行うかを示す設定情報Ｓ４ａが入力される。
【０２５６】
第１選択部４３０は、設定情報Ｓ４ａにより設定された放送方式に基づいて上記他方の信号またはＩＦ信号ｉ４１のいずれかを選択し、選択した信号を第１の選択信号ｓ４１として第２ＡＤ変換部４２０へ出力する。このように、第１選択部４３０は、入力された複数の信号のうち、所定の信号を選択可能である。複数の信号のうちのいずれの信号を選択するかは、復調モジュール４００の仕様または用途によって適宜設定される。
【０２５７】
例えば、第１選択部４３０は、設定情報Ｓ４ａにより、衛星放送信号の信号処理を行うと設定されている場合に、上記一方の信号（ｂ４１またはｂ４２）を選択する。また、第１選択部４３０は、設定情報Ｓ４ａにより、地上放送信号の信号処理を行うと設定されている場合に、ＩＦ信号ｉ４１を選択する。具体的には、第１選択部４３０は、衛星放送信号の信号処理を行う場合、入力端子４２を介して入力されたベースバンドＱ信号ｂ４２を選択し、これを第１の選択信号ｓ４１として第２ＡＤ変換部４２０へ出力する。また、第１選択部４３０は、地上放送信号の信号処理を行う場合、入力端子４３を介して入力されたＩＦ信号ｉ４１を選択し、これを第１の選択信号ｓ４１として第２ＡＤ変換部４２０へ出力する。
【０２５８】
第２ＡＤ変換部４２０には、第１の選択信号ｓ４１が入力される。第２ＡＤ変換部４２０は、第１の選択信号ｓ４１に対してＡＤ変換処理を行い、ＡＤ変換処理に基づく第２の変換信号ｃ４２を生成する。第２ＡＤ変換部４２０は、第２の変換信号ｃ４２を復調誤り訂正部４５０へ出力する。
【０２５９】
復調誤り訂正部４５０には、第１選択部４３０と同様に、設定情報Ｓ４ａが入力される。復調誤り訂正部４５０は、設定情報Ｓ４ａにより設定された放送方式に基づいて、第１の変換信号ｃ４１および／または第２の変換信号ｃ４２に対して復調処理を行い、復調処理に基づくＴＳ信号ｔ４１を生成する。例えば、復調誤り訂正部４５０は、衛星放送信号の信号処理を行う場合に、第１の変換信号ｃ４１および第２の変換信号ｃ４２に基づいてＴＳ信号ｔ４１を生成し、地上放送信号の信号処理を行う場合に、第２の変換信号ｃ２２のみに基づいてＴＳ信号ｔ４１を生成する。復調誤り訂正部４５０は、出力端子４１ｚを介してＴＳ信号ｔ４１を外部へ出力する。
【０２６０】
このように復調モジュール４００では、第１選択部４３０を用いて、衛星放送のベースバンドＱ信号ｂ４２および地上放送のＩＦ信号ｉ４１のいずれかの信号を選択し、第２ＡＤ変換部４２０へ出力することができる。また、復調モジュール４００では、第２ＡＤ変換部４２０が、ベースバンドＱ信号ｂ４２およびＩＦ信号ｉ４１の両方のＡＤ変換処理を行うように共用されている。
【０２６１】
なお、第２ＡＤ変換部４２０では、受信帯域幅と動作クロック（サンプリングレート）、要求されるｂｉｔ分解能のそれぞれが、衛星放送の場合と地上放送の場合とで同じになっていてもよい。これらの仕様および性能を同一とすることで、第２ＡＤ変換部４２０の回路の個数を減らすことができ、復調モジュール４００の回路規模を小さくすることができる。
【０２６２】
なお上記では、入力端子４１にベースバンドＩ信号ｂ４１が入力され、入力端子４２にベースバンドＱ信号ｂ４２が入力される例を示したが、逆に、入力端子４１にベースバンドＱ信号ｂ４２が入力され、入力端子４２にベースバンドＩ信号ｂ４１が入力されてもよい。その場合、ベースバンドＱ信号を一方の信号として、ベースバンドＩ信号ｂ４１を他方の信号として、後の処理が行われる。
【０２６３】
［４−３．実施の形態４の変形例１］
実施の形態４の変形例１に係る復調モジュール４００Ａについて、図２５を参照しながら説明する。この変形例１では、第２ＡＤ変換部４２０にも設定情報Ｓ４ａが入力される例について説明する。
【０２６４】
図２５は、実施の形態４の変形例１に係る復調モジュール４００Ａを示すブロック構成図である。
【０２６５】
変形例１の復調モジュール４００Ａは、第１ＡＤ変換部４１０と、第２ＡＤ変換部４２０と、第１選択部４３０と、復調誤り訂正部４５０とを備えている。また、復調モジュール４００Ａは、入力端子４１、４２、４３と、出力端子４１ｚとを備えている。
【０２６６】
第２ＡＤ変換部４２０には、衛星放送信号および地上放送信号のいずれの信号処理を行うかを示す設定情報Ｓ４ａが入力される。第２ＡＤ変換部４２０におけるこの設定は、第１選択部４３０および復調誤り訂正部４５０における設定と同じである。
【０２６７】
第２ＡＤ変換部４２０は、設定情報Ｓ４ａにより設定された放送方式に基づいて、第１の選択信号ｓ４１に対してＡＤ変換処理を行い、ＡＤ変換処理に基づく第２の変換信号ｃ４２を生成する。例えば、第２ＡＤ変換部４２０は、設定された放送方式に対応し、受信帯域幅の設定、ＡＤ変換レートの設定、ドライブ能力（ゲイン）の設定などを切り替えてＡＤ変換処理を行う。これにより第２ＡＤ変換部４２０は、設定された放送方式に対する最適な動作により、受信特性のよいＡＤ変換処理を実行することができる。
【０２６８】
復調モジュール４００Ａでも、第１選択部４３０を用いて、例えば、衛星放送のベースバンドＱ信号ｂ４２および地上放送のＩＦ信号ｉ４１を選択し、第２ＡＤ変換部４２０へ出力する。また、復調モジュール４００Ａでは、第２ＡＤ変換部４２０が、ベースバンドＱ信号ｂ４２およびＩＦ信号ｉ４１の両方のＡＤ変換処理を行うように共用されている。
【０２６９】
なお、第２ＡＤ変換部４２０では、受信帯域幅と動作クロック（サンプリングレート）、要求されるｂｉｔ分解能のそれぞれが、衛星放送の場合と地上放送の場合とで同じになっていてもよい。これらの仕様および性能を同一とすることで、第２ＡＤ変換部４２０の回路の個数を減らすことができ、復調モジュール４００Ａの回路規模を小さくすることができる。
【０２７０】
［４−４．実施の形態４の変形例２］
実施の形態４の変形例２に係る復調モジュール４００Ｂについて、図２６を参照しながら説明する。この変形例２では、第１ＡＤ変換部４１０にも設定情報Ｓ４ａが入力される例について説明する。
【０２７１】
図２６は、実施の形態４の変形例２に係る復調モジュール４００Ｂを示すブロック構成図である。
【０２７２】
変形例２の復調モジュール４００Ｂは、第１ＡＤ変換部４１０と、第２ＡＤ変換部４２０（機能、特性としては第１ＡＤ変換部４１０と同等）と、第１選択部４３０と、復調誤り訂正部４５０とを備えている。また、復調モジュール４００Ｂは、入力端子４１、４２、４３と、出力端子４１ｚとを備えている。
【０２７３】
第１ＡＤ変換部４１０には、衛星放送信号および地上放送信号のいずれの信号処理を行うかを示す設定情報Ｓ４ａが入力される。第１ＡＤ変換部４１０は、設定情報Ｓ４ａにより設定された放送方式に基づいて、ベースバンドＩ信号ｂ４１に対してＡＤ変換処理を行い、ＡＤ変換処理に基づく第１の変換信号ｃ４１を生成する。
【０２７４】
上記構成とすることで、１種類のＡＤ変換部を用意するだけでよく、それにより衛星放送のベースバンドＩ信号とＱ信号を処理する場合、Ｉ側とＱ側とで同等のＡＤ変換部を使用することになり、特性の偏りをなくすことができる。
【０２７５】
また、この変形例２では、第１ＡＤ変換部４１０の放送方式の設定が、外部から入力される設定情報Ｓ４ａによって切り替えられる例を示したが、それに限られず、例えば、内部設定により衛星放送信号の信号処理を行うように設定されていてもよい。
【０２７６】
［４−５．実施の形態４の変形例３］
実施の形態４の変形例３に係る復調モジュール４００Ｃについて、図２７を参照しながら説明する。この変形例３では、入力端子４１と第１ＡＤ変換部４１０との間に第２選択部４４０が設けられている例について説明する。
【０２７７】
図２７は、実施の形態４の変形例３に係る復調モジュール４００Ｃを示すブロック構成図である。
【０２７８】
変形例３の復調モジュール４００Ｃは、第１ＡＤ変換部４１０と、第２ＡＤ変換部４２０と、第１選択部４３０と、第２選択部４４０と、復調誤り訂正部４５０とを備えている。また、復調モジュール４００Ｃは、入力端子４１、４２、４３と、出力端子４１ｚとを備えている。
【０２７９】
第２選択部４４０は、入力端子４１と第１ＡＤ変換部４１０とを結ぶ配線経路上に設けられている。第２選択部４４０には、複数の信号が入力され、例えば、ベースバンドＩ信号ｂ４１およびダミー信号（例えば０の信号）が入力される。本変形例の第２選択部４４０は、内部設定により、衛星放送信号の信号処理を行うように設定されている。そのため第２選択部４４０は、ダミー信号を選択せず、上記一方の信号（例えばベースバンドＩ信号ｂ４１）を選択し、この信号を第２の選択信号ｓ４２として第１ＡＤ変換部４１０へ出力する。なお、第２選択部４４０は、少なくとも第１選択部４３０が上記他方の信号を選択する場合、複数の信号のうちの上記一方の信号を選択して、第１ＡＤ変換部４１０へ出力してもよい。
【０２８０】
第１ＡＤ変換部４１０は、設定情報Ｓ４ａにより設定された放送方式に基づいて、第２の選択信号ｓ４２に対してＡＤ変換処理を行い、ＡＤ変換処理に基づく第１の変換信号ｃ４１を生成する。
【０２８１】
復調モジュール４００Ｃでは、第１ＡＤ変換部４１０および第２ＡＤ変換部４２０をＩ軸信号とＱ軸信号とで同じ特性とすることができる。また、復調モジュール４００Ｃでは、Ｉ軸信号およびＱ軸信号のそれぞれが、第１選択部４３０および第２選択部４４０のそれぞれを通過することになり、Ｉ軸信号およびＱ軸信号のインピーダンスをそろえることができる。これにより、Ｉ軸およびＱ軸のバランスを保つことができ、受信特性の劣化を抑制することが可能となる。
【０２８２】
なお、この変形例３では、第２選択部４４０に入力されるダミー信号を０の信号としたが、ダミー信号は、０である必要はなく任意の信号であってもよい。
【０２８３】
また、この変形例３では、第２選択部４４０の放送方式の設定として、内部設定により衛星放送信号の信号処理を行うように設定したが、それに限られず、外部から入力される設定情報Ｓ４ａによって、衛星放送信号の信号処理を行うように設定されてもよい。
【０２８４】
［４−６．実施の形態４の変形例４］
実施の形態４の変形例４に係る復調モジュール４００Ｄについて、図２８を参照しながら説明する。
【０２８５】
図２８は、実施の形態４の変形例４に係る復調モジュール４００Ｄを示すブロック構成図である。
【０２８６】
変形例４の復調モジュール４００Ｄでは、第２選択部４４０および第１ＡＤ変換部４１０が、内部設定により衛星放送信号の信号処理を行うように設定されている。また、第２ＡＤ変換部４２０に設定情報Ｓ４ａが入力されている。
【０２８７】
復調モジュール４００Ｄでも、第１ＡＤ変換部４１０および第２ＡＤ変換部４２０をＩ軸信号とＱ軸信号とで同じ特性とすることができる。また、復調モジュール４００Ｄでも、Ｉ軸信号およびＱ軸信号のそれぞれが、第１選択部４３０および第２選択部４４０のそれぞれを通過することになり、Ｉ軸信号およびＱ軸信号のインピーダンスをそろえることができる。これにより、Ｉ軸およびＱ軸のバランスを保つことができ、受信特性の劣化を抑制することが可能となる。
【０２８８】
［４−７．実施の形態４の変形例５］
実施の形態４の変形例５に係る復調モジュール４００Ｅについて、図２９を参照しながら説明する。上記では、１つのチャネルを受信して復調処理する復調モジュールについて説明したが、変形例５では、２つのチャネルを受信して復調処理する復調モジュール４００Ｅについて説明する。
【０２８９】
図２９は、実施の形態４の変形例５に係る復調モジュール４００Ｅを示すブロック構成図である。
【０２９０】
図２９の復調モジュール４００Ｅは、図２８に示す復調モジュール４００Ｄを２つ備えている。また、復調モジュール４００Ｅは、入力端子４１、４２、４３、４４、４５、４６と、出力端子４１ｚ、４２ｚとを備えている。
【０２９１】
入力端子４１〜４３は、２つの復調モジュール４００Ｄのうちの一方の復調モジュール４００Ｄに接続されている。一方の復調モジュール４００Ｄの出力側は、復調モジュール４００Ｅの出力端子４１ｚに接続されている。入力端子４４〜４６は、他方の復調モジュール４００Ｄに接続されている。他方の復調モジュール４００Ｄの出力側は、復調モジュール４００Ｅの出力端子４２ｚに接続されている。
【０２９２】
入力端子４１には、第１のＲＦ部から出力されたベースバンドＩ信号ｂ４１が入力され、入力端子４２には、第１のＲＦ部から出力されたベースバンドＱ信号ｂ４２が入力される。入力端子４３には、第２のＲＦ部から出力されたＩＦ信号ｉ４１が入力される。
【０２９３】
入力端子４４には、第３のＲＦ部から出力されたベースバンドＩ信号ｂ４３が入力され、入力端子４５には、第３のＲＦ部から出力されたベースバンドＱ信号ｂ４４が入力される。入力端子４６には、第４のＲＦ部から出力されたＩＦ信号ｉ４２が入力される。
【０２９４】
一方の復調モジュール４００Ｄには、ベースバンドＩ信号ｂ４１、ベースバンドＱ信号ｂ４２およびＩＦ信号ｉ４１が入力される。一方の復調モジュール４００Ｄには、設定情報Ｓ４ａが入力される。一方の復調モジュール４００ＤからはＴＳ信号ｔ４１が出力される。このＴＳ信号ｔ４１は、復調モジュール４００Ｅの出力端子４１ｚから出力される。
【０２９５】
他方の復調モジュール４００Ｄには、ベースバンドＩ信号ｂ４３、ベースバンドＱ信号ｂ４４およびＩＦ信号ｉ４２が入力される。他方の復調モジュール４００Ｄには、設定情報Ｓ４ｂが入力される。設定情報Ｓ４ｂは、設定情報Ｓ４ａと同じであってもよいし、異なっていてもよい。他方の復調モジュール４００ＤからはＴＳ信号ｔ４２が出力される。
【０２９６】
このＴＳ信号ｔ４２は、復調モジュール４００Ｅの出力端子４２ｚから出力される。
【０２９７】
復調モジュール４００Ｅは、１つのＬＳＩで構成されてもよい。また復調モジュール４００Ｅは、２つの復調モジュール４００ＤをチップとしたＳＩＰ構成であってもよい。また、入力端子４１〜４６および、出力端子４１ｚ、出力端子４２ｚは、端子の群であり、１つ以上の端子ピンで構成されていてもよい。
【０２９８】
［４−８．効果等］
実施の形態４の復調モジュール４００は、デジタル放送の放送信号である衛星放送信号または地上放送信号を復調処理し、ＴＳ信号を生成する復調モジュールであって、衛星放送信号に基づいて生成されたベースバンドＩ信号ｂ４１およびベースバンドＱ信号ｂ４２のうちの一方の信号をＡＤ変換処理し、ＡＤ変換処理に基づく第１の変換信号ｃ４１を出力する第１ＡＤ変換部４１０と、一方の信号と異なる他方の信号および地上放送信号に基づいて生成されたＩＦ信号ｉ４１が入力され、他方の信号およびＩＦ信号ｉ４１のいずれかを選択して第１の選択信号ｓ４１を出力する第１選択部４３０と、第１の選択信号ｓ４１をＡＤ変換処理し、ＡＤ変換処理に基づく第２の変換信号ｃ４２を出力する第２ＡＤ変換部４２０と、第１の変換信号ｃ４１および／または第２の変換信号ｃ４２に対して復調処理を行い、復調処理に基づくＴＳ信号ｔ４１を生成する復調誤り訂正部４５０と、を備える。
【０２９９】
これによれば、第１選択部４３０を用いて、他方の信号（例えばベースバンドＱ信号ｂ４２）および地上放送のＩＦ信号ｉ４１のいずれかの信号を選択し、ＡＤ変換処理を行うことができる。これにより、様々な受信形態に対応することができる汎用性の高い復調モジュール４００を提供することができる。
【０３００】
また、第１選択部４３０は、衛星放送信号の信号処理を行う場合に、上記一方の信号を選択し、地上放送信号の信号処理を行う場合に、ＩＦ信号ｉ４１を選択し、復調誤り訂正部４５０は、衛星放送信号の信号処理を行う場合に、第１の変換信号ｃ４１および第２の変換信号ｃ４２に基づいてＴＳ信号ｔ４１を生成し、地上放送信号の信号処理を行う場合に、第２の変換信号ｃ４２のみに基づいてＴＳ信号ｔ４１を生成してもよい。
【０３０１】
これによれば、衛星放送および地上放送のそれぞれの設定に合わせてＴＳ信号を生成することができる。これにより、様々な受信形態に対応することができる汎用性の高い復調モジュール４００を提供することができる。
【０３０２】
また、第１選択部４３０および復調誤り訂正部４５０のそれぞれには、衛星放送信号および地上放送信号のいずれの信号処理を行うかを示す設定情報Ｓ４ａが入力され、第１選択部４３０は、設定情報Ｓ４ａに基づいて上記一方の信号またはＩＦ信号ｉ４１を選択し、復調誤り訂正部４５０は、設定情報Ｓ４ａに基づいてＴＳ信号ｔ４１を生成してもよい。
【０３０３】
これによれば、第１選択部４３０において受信形態に合わせた信号を選択し、また、復調誤り訂正部４５０において受信形態に合わせたＴＳ信号を生成することができる。これにより、様々な受信形態に対応することができる汎用性の高い復調モジュール４００を提供することができる。
【０３０４】
また、第２ＡＤ変換部４２０には、設定情報Ｓ４ａが入力され、第２ＡＤ変換部４２０は、設定情報Ｓ４ａに基づいてＡＤ変換処理を行ってもよい。
【０３０５】
これによれば、第２ＡＤ変換部４２０において、受信形態に合わせたＡＤ変換処理を行うことができる。これにより、様々な受信形態に対応したＡＤ変換処理を行うことができる。
【０３０６】
また、第１ＡＤ変換部４１０には、設定情報Ｓ４ａが入力され、第１ＡＤ変換部４１０は、設定情報Ｓ４ａに基づいてＡＤ変換処理を行ってもよい。
【０３０７】
これによれば、第１ＡＤ変換部４１０において、受信形態に合わせたＡＤ変換処理を行うことができる。これにより、様々な受信形態に対応することができる汎用性の高い復調モジュール４００Ｂを提供することができる。また、上記構成とすることで、１種類のＡＤ変換部を用意するだけでよく、それにより衛星放送のベースバンドＩ信号とＱ信号を処理する場合、Ｉ側とＱ側とで同等のＡＤ変換部を使用することになり、特性の偏りをなくすことができる。
【０３０８】
また、復調モジュール４００Ｃは、さらに、上記一方の信号を含む複数の信号が入力される第２選択部４４０を備え、第２選択部４４０は、少なくとも第１選択部４３０が上記他方の信号を選択する場合、複数の信号のうちの上記一方の信号を選択して、第１ＡＤ変換部４１０へ出力してもよい。
【０３０９】
これによれば、第１ＡＤ変換部４１０および第２ＡＤ変換部４２０における信号特性をそろえることができる。これにより、復調モジュール４００Ｃの受信特性の劣化を抑制することが可能となる。
【０３１０】
（実施の形態５）
［５−１．本開示に至る経緯］
本開示に至る経緯について、比較例５である図３０を参照しながら説明する。
【０３１１】
次世代地上放送に向け、伝送容量の拡大のため、非特許文献２に示すようにＭＩＭＯ（ＭｕｌｔｉＩｎｐｕｔ−ＭｕｌｔｉＯｕｔｐｕｔ）を用いた伝送が検討されている。比較例５の受信装置５００１は、水平および垂直の偏波を利用して、ＭＩＭＯを用いた伝送を行う。
【０３１２】
図３０は、比較例５の復調モジュール５０００を備える受信装置５００１を示すブロック構成図である。
【０３１３】
図３０に示すように、比較例の受信装置５００１は、水平偏波用のＲＦ部と、垂直偏波用のＲＦ部と、復調モジュールと、デコーダ部と、表示部とを備えている。復調モジュールは、第１復調処理部と、第２復調処理部と、ＭＩＭＯ等化部と、第１誤り訂正部と、第２誤り訂正部と、合成部とを備えている。第１復調処理部は、ＡＤ変換部、時間処理部、ＦＦＴ（Ｆａｓｔ  Ｆｏｕｒｉｅｒ  Ｔｒａｎｓｆｏｒｍ）部、周波数処理部、伝送路推定部を有している。第２復調処理部は、第１復調処理部と同様の構成である。
【０３１４】
水平偏波用および垂直偏波用のアンテナの信号が入力され、ＲＦ部でＩＦ信号またはベースバンド信号に変換された信号は、ＡＤ変換部でアナログ信号からデジタル信号に変換され、時間処理部にて時間同期が実行され、ＦＦＴ部にてＦＦＴ処理される。そして、周波数処理部にて周波数の同期やフレーム同期が実行され、伝送路推定部にて伝送路推定が実行される。第２復調処理部についても同様の処理が行われる。
【０３１５】
ＭＩＭＯ等化部では、第１復調処理部および第２復調処理部でＦＦＴ処理された信号と伝送路推定値をもとに、ＭＩＭＯ等化（信号分離）を行い、水平偏波で送信されたデータ信号を誤り訂正部へ出力し、垂直偏波で送信されたデータ信号を誤り訂正部へ出力し、それぞれ誤り訂正を実施し、合成部にてストリームに合成し、デコーダ部へ出力する。デコーダ部では、Ｈ．２６５/ＨＥＶＣ（Ｈｉｇｈ  Ｅｆｆｉｃｉｅｎｃｙ  Ｖｉｄｅｏ  Ｃｏｄｉｎｇ）やＶＶＣ（Ｖｅｒｓａｔｉｌｅ  Ｖｉｄｅｏ  Ｃｏｄｉｎｇ）等のデコード処理を行い、表示部に映像を表示させる。
【０３１６】
このように、ＭＩＭＯを受信する受信装置５００１は、複数のＲＦ部と復調処理部と誤り訂正部とを有する。一方で、放送のパラメータは、ＭＩＭＯだけでなく、ＳＩＳＯ（ＳｉｎｇｌｅＩｎｐｕｔ−ＳｉｎｇｌｅＯｕｔｐｕｔ）も行われ、ＳＩＳＯ時は１つの偏波面（例えば水平偏波のみ）を用いて伝送する。その場合、２つ目（ここでは垂直偏波用）のＲＦ部、復調処理部、誤り訂正部が使用されないこととなり、受信形態に合ったリソース活用がされていないという問題がある。
【０３１７】
それに対し本開示の復調モジュールは、以下に示す構成を有することで、様々な受信形態に対応し、柔軟性の高い使い方をすることができる。
【０３１８】
［５−２．復調モジュールの構成］
実施の形態５に係る復調モジュール５００の構成について、図３１を参照しながら説明する。
【０３１９】
実施の形態５に係る復調モジュール５００は、デジタル放送の放送信号を復調処理し、１系統または２系統のＴＳ信号を生成する復調モジュールである。
【０３２０】
復調モジュール５００は、ＭＩＭＯによって放送信号を受信するＭＩＭＯ受信モードＭ５１、および、ＳＩＳＯによって放送信号を受信するＳＩＳＯ受信モードＭ５２を有している。復調モジュール５００は、ＭＩＭＯ受信モードＭ５１およびＳＩＳＯ受信モードＭ５２を切り替え可能である。
【０３２１】
図３１は、復調モジュール５００を備える受信装置５０１を示すブロック構成図である。なお、図３１には、水平偏波用アンテナＡｔ１および垂直偏波用アンテナＡｔ２も示されている。
【０３２２】
図３１に示すように、復調モジュール５００は、第１復調処理部５１０と、第２復調処理部５２０と、ＭＩＭＯ等化部５３０と、第１選択部５４１と、第２選択部５４２と、第３選択部５４３と、第１誤り訂正部５５１と、第２誤り訂正部５５２と、合成部５６０と、を備えている。
【０３２３】
第１復調処理部５１０は、ＡＤ変換部５１１、時間処理部５１２、ＦＦＴ部５１３、周波数処理部５１４、伝送路推定部５１５およびＳＩＳＯ等化部５１６を有している。第１復調処理部５１０は、ＲＦ部５０３にてＲＦ処理された第１のアナログ信号ａ５１に対して、ＡＤ変換処理、ＦＦＴ処理、伝送路推定処理およびＳＩＳＯ等化処理の少なくとも１つの処理を行い、第１の伝送路推定信号ｐ５１および第１のＳＩＳＯ等化信号ｓ５１を出力する。なお、伝送路推定部５１５は、ＭＩＭＯのチャネルに対する伝送路の推定のほかに、ＳＩＳＯ受信モードＭ５２において、ＳＩＳＯ用の伝送路推定を行う。
【０３２４】
第２復調処理部５２０は、ＡＤ変換部５２１、時間処理部５２２、ＦＦＴ部５２３、周波数処理部５２４、伝送路推定部５２５およびＳＩＳＯ等化部５２６を有している。第２復調処理部５２０は、ＲＦ部５０４にてＲＦ処理された第２のアナログ信号ａ５２に対して、ＡＤ変換処理、ＦＦＴ処理、伝送路推定処理およびＳＩＳＯ等化処理の少なくとも１つの処理を行い、第２の伝送路推定信号ｐ５２および第２のＳＩＳＯ等化信号ｓ５２を出力する。なお、伝送路推定部５２５は、ＭＩＭＯのチャネルに対する伝送路の推定のほかに、ＳＩＳＯ受信モードＭ５２において、ＳＩＳＯ用の伝送路推定を行う。
【０３２５】
ＭＩＭＯ等化部５３０は、第１の伝送路推定信号ｐ５１および第２の伝送路推定信号ｐ５２のそれぞれに対してＭＩＭＯ等化処理を行い、第１のＭＩＭＯ処理信号ｍ５１および第２のＭＩＭＯ処理信号ｍ５２を出力する。
【０３２６】
第１選択部５４１は、第１復調処理部５１０で処理される受信方式がＭＩＭＯ受信モードＭ５１の場合は、ＭＩＭＯ等化部５３０の出力を選択し、ＳＩＳＯ受信モードＭ５２の場合は、ＳＩＳＯ等化部５１６の出力を選択し、第１誤り訂正部５５１へ出力する。
【０３２７】
第２選択部５４２は、第２復調処理部５２０で処理される受信方式がＭＩＭＯ受信モードＭ５１の場合は、ＭＩＭＯ等化部５３０の出力を選択し、ＳＩＳＯ受信モードＭ５２の場合は、ＳＩＳＯ等化部５２６の出力を選択し、第２誤り訂正部５５２へ出力する。
【０３２８】
このように、第１選択部５４１および第２選択部５４２のそれぞれは、入力された複数の信号のうち、所定の信号を選択可能である。複数の信号のうちのいずれの信号を選択するかは、復調モジュール５００の仕様または用途によって適宜設定される。
【０３２９】
第１誤り訂正部５５１は、第１のＳＩＳＯ等化信号ｓ５１または第１のＭＩＭＯ処理信号ｍ５１を誤り訂正して、第１の誤り訂正信号ｅ５１を出力する。第１の誤り訂正信号ｅ５１は、ＴＳ信号に属する信号である。
【０３３０】
第２誤り訂正部５５２は、第２のＳＩＳＯ等化信号ｓ５２または第２のＭＩＭＯ処理信号ｍ５２を誤り訂正して、第２の誤り訂正信号ｅ５２を出力する。第２の誤り訂正信号ｅ５２は、ＴＳ信号に属する信号である。
【０３３１】
合成部５６０は、第１の誤り訂正信号および第２の誤り訂正信号をＭＩＭＯ合成処理して、合成信号ｃ５０を出力する。
【０３３２】
第３選択部５４３は、第１誤り訂正部５５１の出力および合成部５６０の出力が入力される。第３選択部５４３は、入力された複数の信号のうち、所定の信号を選択可能である。複数の信号のうちのいずれの信号を選択するかは、復調モジュール５００の仕様または用途によって適宜設定される。第３選択部５４３は、ＭＩＭＯ受信モードＭ５１の場合は、合成部５６０の出力を選択してデコーダ部５０５へ出力する。第３選択部５４３は、ＳＩＳＯ受信モードＭ５２の場合は、第１誤り訂正部５５１から出力された信号を選択してデコーダ部５０５へ出力する。
【０３３３】
デコーダ部５０５は、第３選択部５４３の出力または第２誤り訂正部５５２の出力が入力される。これにより、デコーダ部５０５は、ＭＩＭＯ受信モードＭ５１の場合は、合成部５６０で合成された後の第３選択部５４３の出力であるストリームをデコードする。また、デコーダ部５０５は、ＳＩＳＯ受信モードＭ５２の場合は、第１誤り訂正部５５１から出力された後の第３選択部５４３の出力であるストリームをデコードし、さらに、第２誤り訂正部５５２の出力であるストリームをデコードする。すなわちＳＩＳＯ受信モードＭ５２の場合は、２系統とも動作する。
【０３３４】
本実施の形態では、ＭＩＭＯ受信モードＭ５１において、第１誤り訂正部５５１および第２誤り訂正部５５２は、それぞれ、第１のＭＩＭＯ処理信号ｍ５１および第２のＭＩＭＯ処理信号ｍ５２を誤り訂正し、合成信号ｃ５０をＭＩＭＯ処理ＴＳ信号ｍｍ１として出力する。
【０３３５】
また、ＳＩＳＯ受信モードＭ５２において、第１誤り訂正部５５１および第２誤り訂正部５５２は、それぞれ、第１のＳＩＳＯ等化信号ｓ５１あるいは第２のＳＩＳＯ等化信号ｓ５２を誤り訂正し、第１の誤り訂正信号ｅ５１を第１のＳＩＳＯ処理ＴＳ信号ｓｓ１として、かつ、第２の誤り訂正信号ｅ５２を第２のＳＩＳＯ処理ＴＳ信号ｓｓ２として出力する。
【０３３６】
この復調モジュール５００を備える受信装置５０１は、ＭＩＭＯ受信モードＭ５１において、リソースを有効活用し、ＳＩＳＯ受信モードＭ５２において２つのチャネルを受信して、２つのストリームを得ることが可能となる。
【０３３７】
なお、受信装置５０１のデコーダ部５０５は、ＳＩＳＯ受信モードＭ５２において、常に２つのチャネルを受信する必要はなく、ユーザの設定に応じて片方のみのデコードのみとしてもよい。
【０３３８】
［５−３．実施の形態５の変形例］
実施の形態５の変形例に係る受信装置５０１について、図３２を参照しながら説明する。
【０３３９】
図３２は、実施の形態５の変形例に係る復調モジュール５００Ａを備える受信装置５０１を示すブロック構成図である。なお、図３２には、水平偏波用アンテナＡｔ１および垂直偏波用アンテナＡｔ２も示されている。
【０３４０】
復調モジュール５００Ａを備える受信装置５０１は、第４選択部５４４を備え、水平偏波用のアンテナ信号と、垂直偏波用のアンテナ信号とを入力し、一方を選択してＲＦ部５０４へ出力する。図３２に示す、第１のアナログ信号ａ５１は、水平偏波用アンテナＡｔ１で受信された信号に基づく信号である。第２のアナログ信号ａ５２は、ＭＩＭＯ受信モードＭ５１において、垂直偏波用アンテナＡｔ２で受信された信号に基づく信号であり、ＳＩＳＯ受信モードＭ５２において、水平偏波用アンテナＡｔ１で受信された信号に基づく信号であり、一般には第１のアナログ信号ａ５１とは異なるＲＦ処理を施したアナログ信号である。
【０３４１】
図３１に示した受信装置５０１では、ＳＩＳＯ受信モードＭ５２で２つのチャネルを受信する際、同じ偏波面で送信されているため、水平偏波用アンテナＡｔ１で受信する場合に対し、垂直偏波用アンテナＡｔ２で受信すると、ゲインが得られず、第２復調処理部５２０における受信品質が悪くなるという課題がある。
【０３４２】
それに対しこの変形例では、第４選択部５４４で、ＭＩＭＯ受信モードＭ５１において、垂直偏波用アンテナ信号を選択し、ＳＩＳＯ受信モードＭ５２において、水平偏波用のアンテナ信号を選択する。これにより、ＳＩＳＯ受信モードＭ５２において２つのチャネルを受信する場合でも、偏波面の不一致による受信品質の劣化を抑制することができる。
【０３４３】
［５−４．効果等］
実施の形態５の復調モジュール５００は、デジタル放送の放送信号を復調処理し、１系統または２系統のＴＳ信号を生成する復調モジュールである。復調モジュール５００は、ＭＩＭＯによって放送信号を受信するＭＩＭＯ受信モードＭ５１、および、ＳＩＳＯによって放送信号を受信するＳＩＳＯ受信モードＭ５２を有し、ＭＩＭＯ受信モードＭ５１およびＳＩＳＯ受信モードＭ５２を切り替え可能である。
【０３４４】
これによれば、ＭＩＭＯおよびＳＩＳＯの受信形態に対応し、汎用性の高い復調モジュール５００を提供することができる。
【０３４５】
また、復調モジュール５００は、第１復調処理部５１０と、第２復調処理部５２０と、ＭＩＭＯ等化部５３０と、第１誤り訂正部５５１と、第２誤り訂正部５５２と、合成部５６０と、を備える。第１復調処理部５１０は、外部にてＲＦ処理された第１のアナログ信号ａ５１に対して、ＡＤ変換処理、ＦＦＴ処理、伝送路推定処理およびＳＩＳＯ等化処理の少なくとも１つの処理を行い、第１の伝送路推定信号ｐ５１および第１のＳＩＳＯ等化信号ｓ５１を出力する。第２復調処理部５２０は、外部にてＲＦ処理された第２のアナログ信号ａ５２に対して、ＡＤ変換処理、ＦＦＴ処理、伝送路推定処理およびＳＩＳＯ等化処理の少なくとも１つの処理を行い、第２の伝送路推定信号ｐ５２および第２のＳＩＳＯ等化信号ｓ５２を出力する。ＭＩＭＯ等化部５３０は、第１の伝送路推定信号ｐ５１および第２の伝送路推定信号ｐ５２のそれぞれに対してＭＩＭＯ等化処理を行い、第１のＭＩＭＯ処理信号ｍ５１および第２のＭＩＭＯ処理信号ｍ５２を出力する。第１誤り訂正部５５１は、第１のＳＩＳＯ等化信号ｓ５１または第１のＭＩＭＯ処理信号ｍ５１を誤り訂正して、第１の誤り訂正信号ｅ５１を出力する。第２誤り訂正部５５２は、第２のＳＩＳＯ等化信号ｓ５２または第２のＭＩＭＯ処理信号ｍ５２を誤り訂正して、第２の誤り訂正信号ｅ５２を出力する。合成部５６０は、第１の誤り訂正信号ｅ５１および第２の誤り訂正信号ｅ５２を合成処理して、合成信号ｃ５０を出力してもよい。
【０３４６】
これによれば、ＳＩＳＯ処理信号またはＭＩＭＯ処理信号を誤り訂正処理した信号を合成して出力することができる。これにより、様々な受信形態に対応することができる汎用性の高い復調モジュール５００を提供することができる。
【０３４７】
また、ＭＩＭＯ受信モードＭ５１において、第１誤り訂正部５５１および第２誤り訂正部５５２は、それぞれ、第１のＭＩＭＯ処理信号ｍ５１および第２のＭＩＭＯ処理信号ｍ５２を誤り訂正し、合成部５６０は、合成信号ｃ５０をＭＩＭＯ処理ＴＳ信号ｍｍ１として出力する。ＳＩＳＯ受信モードＭ５２において、第１誤り訂正部５５１および第２誤り訂正部５５２は、それぞれ、第１のＳＩＳＯ等化信号ｓ５１あるいは第２のＳＩＳＯ等化信号ｓ５２を誤り訂正し、第１の誤り訂正信号ｅ５１を第１のＳＩＳＯ処理ＴＳ信号ｓｓ１として、かつ、第２の誤り訂正信号ｅ５２を第２のＳＩＳＯ処理ＴＳ信号ｓｓ２として出力してもよい。
【０３４８】
これによれば、ＭＩＭＯおよびＳＩＳＯの受信形態に対応し、汎用性の高い復調モジュール５００を提供することができる。
【０３４９】
また、第１のアナログ信号ａ５１は、水平偏波用アンテナＡｔ１で受信された信号に基づく信号であり、第２のアナログ信号ａ５２は、ＭＩＭＯ受信モードＭ５１において、垂直偏波用アンテナＡｔ２で受信された信号に基づく信号であり、ＳＩＳＯ受信モードＭ５２において、水平偏波用アンテナＡｔ１で受信された信号に基づく信号であり、第１のアナログ信号ａ５１とは異なるＲＦ処理を施したアナログ信号であってもよい。
【０３５０】
これによれば、ＳＩＳＯ受信モードＭ５２において２つのチャネルを受信する場合でも、偏波面の不一致による受信品質の劣化を抑制できる。
【０３５１】
なお、実施の形態５では、第１復調処理部５１０が扱う信号を水平偏波として説明したが、これに限らず、垂直偏波を主として使う地域では第１復調処理部５１０が垂直偏波になる。
【０３５２】
また、受信装置５０１は、表示部５０６を有する構成としたが、これに限られず、映像と音声信号を出力し、図示しない外部の表示部を使用する形態としてもよい。
【０３５３】
また、受信装置５０１における伝送路推定部５１５、伝送路推定部５２５では、ＭＩＳＯ（Ｍｕｌｔｉｐｌｅ−Ｉｎｐｕｔ  ａｎｄ  Ｍｕｌｔｉｐｌｅ−Ｏｕｔｐｕｔ）を受信してもよく、ＭＩＳＯ時は、ＭＩＳＯ用の伝送路推定を行う。また、ＳＩＳＯ等化部５１６、ＳＩＳＯ等化部５２６は、ＭＩＳＯを等化するアラモーティ複号などを実施して、第１選択部５４１または第２選択部５４２へ出力することになる。
【０３５４】
なお、受信装置５０１において、第１復調処理部５１０もしくは第２復調処理部５２０の１系統でＳＩＳＯ受信をしている場合に、その１系統を継続したままでＭＩＭＯ受信を選局しようとした場合に、ＭＩＭＯの選局ができない旨の表示か、その１系統の受信を遮断させるかを選択させる旨を表示することとしてもよい。これは、１系統でＳＩＳＯを受信しているときに、ユーザが、それに加えて別チャネルを追加で視聴しようとし、それがＭＩＭＯだった場合に、受信装置のリソースとして、ＳＩＳＯを継続したままＭＩＭＯの受信ができないため、新たなＭＩＭＯの受信をしないかＳＩＳＯの受信をやめる必要がある。これにより、ユーザがＭＩＭＯを選局する際に、ＭＩＭＯが選局できない旨を知らせることができ、または、これまでの継続しているＳＩＳＯ受信を、ユーザが意図せず遮断されることを防ぐことができる。
【０３５５】
また、ＭＩＭＯのチャネルを選局して受信する際に、第１復調処理部５１０もしくは第２復調処理部５２０の一方だけ同期している状態の場合、通常のアラームとは異なるアラームを表示させてもよい。通常のアラームは、例えば「アンテナが接続されていません」や「アンテナに異常があります」等であるが、それとは異なるアラーム（例えば「ＭＩＭＯ用アンテナに異常があります」等）にする。これにより、通常のアンテナ異常とは異なり、単に片方側（特に追加される第２復調処理部５２０のアンテナ入力側：ここで垂直偏波用アンテナ信号）の信号接続ができていないことを通知することができ、ユーザのトラブル解決を容易にできる。
【０３５６】
また、ＭＩＭＯのチャネルを選局して受信する際に、ＭＩＭＯ等化部５３０における行列演算の処理において第１復調処理部５１０および第２復調処理部５２０の伝送路特性で生成される行列の逆行列が算出できない（行列式が０である）場合に、通常のアラームとは異なるアラームを表示させてもよい。通常のアラームは、例えば「アンテナが接続されていません」や「アンテナに異常があります」等であるが、それとは異なるアラーム（例えば「ＭＩＭＯ用アンテナに同一の信号が入っています」等）にする。第１復調処理部５１０と第２復調処理部５２０の入力信号が同一の場合、伝送路特性で生成される行列は行列式が０となるため、このアラームによって、ユーザが誤って、第２復調処理部５２０用のアンテナ信号（ここでは垂直偏波用）に、第１復調処理部５１０用のアンテナ信号（ここでは水平偏波用）の信号を分配して入力した場合に、その旨を知らせることができ、ユーザのトラブル解決を容易にできる。
【０３５７】
なお、実施の形態５では、映像／音声の出力形式をＴＳとして説明をしたが、これに限られずＴＬＶ（Ｔｙｐｅ  Ｌｅｎｇｔｈ  Ｖａｌｕｅ）パケットとしてもよい。ＴＬＶは、高度ＢＳであるＢＳ４Ｋ８Ｋ放送で使用されている形式である。
【０３５８】
（その他の実施の形態）
以上、本開示の態様に係る復調モジュールについて、実施の形態等に基づいて説明したが、本開示は、この実施の形態に限定されるものではない。例えば、本明細書において記載した構成要素を任意に組み合わせて、また、構成要素のいくつかを除外して実現される別の実施の形態を本開示の実施の形態としてもよい。また、上記実施の形態に対して本開示の主旨、すなわち、請求の範囲に記載される文言が示す意味を逸脱しない範囲で当業者が思いつく各種変形を施して得られる変形例も本開示に含まれる。
【０３５９】
また、以下に示す形態も、本開示の１つまたは複数の態様の範囲内に含まれてもよい。
【０３６０】
（１）上記の復調モジュールを構成する構成要素の一部は、マイクロプロセッサ、ＲＯＭ、ＲＡＭ、ハードディスクユニット、ディスプレイユニット、キーボード、マウスなどから構成されるコンピュータシステムであってもよい。前記ＲＡＭまたはハードディスクユニットには、コンピュータプログラムが記憶されている。前記マイクロプロセッサが、前記コンピュータプログラムにしたがって動作することにより、その機能を達成する。ここでコンピュータプログラムは、所定の機能を達成するために、コンピュータに対する指令を示す命令コードが複数個組み合わされて構成されたものである。
【０３６１】
（２）上記の復調モジュールを構成する構成要素の一部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０３６２】
（３）上記の復調モジュールを構成する構成要素の一部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０３６３】
（４）また、上記の復調モジュールを構成する構成要素の一部は、前記コンピュータプログラムまたは前記デジタル信号をコンピュータで読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの記録媒体に記録されている前記デジタル信号であるとしてもよい。
【０３６４】
また、上記の復調モジュールを構成する構成要素の一部は、前記コンピュータプログラムまたは前記デジタル信号を、電気通信回線、無線または有線通信回線、インターネットを代表とするネットワーク、データ放送等を経由して伝送するものとしてもよい。
【０３６５】
（５）本開示は、上記に示す方法であるとしてもよい。また、これらの方法をコンピュータにより実現するコンピュータプログラムであるとしてもよいし、前記コンピュータプログラムからなるデジタル信号であるとしてもよい。
【０３６６】
（６）また、本開示は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０３６７】
（７）また、前記プログラムまたは前記デジタル信号を記録媒体に記録して移送することにより、または前記プログラムまたは前記デジタル信号を、前記ネットワーク等を経由して移送することにより、独立した他のコンピュータシステムにより実施するとしてもよい。
【０３６８】
（８）上記実施の形態及び上記変形例をそれぞれ組み合わせてもよい。
【産業上の利用可能性】
【０３６９】
本開示の復調モジュールは、デジタル放送の放送信号を受信する受信装置などに利用できる。
【符号の説明】
【０３７０】
１１、１２、１３、１４、１５、１６、１７、１８、２１、２２、３１、３２、４１、４２、４３、４４、４５、４６  入力端子
１１ｚ、１２ｚ、２１ｚ、２２ｚ、３１ｚ、３２ｚ、３６ｚ、３７ｚ、４１ｚ、４２ｚ、  出力端子
６１、６２、６３、６４、６５、６６、６７、６８  ＲＦ部
７１、７２、７３、７４、７６、７７、７８、８１  復調部
９１、９２  合成部
１００、１００Ａ、１００Ｂ、１００Ｃ  復調モジュール
１０１  受信装置
１１０  第１処理部
１１１  第１復調部
１１１ａ  ＡＤ変換部
１１１ｂ  復調コア部
１１１ｃ  誤り訂正部
１１２  第１選択部
１１３  第１合成部
１２０  第２処理部
１２１  第２復調部
１２２  第２選択部
１２３  第２合成部
１３２  第３選択部
１４２  第４選択部
ｃ１１  第１の合成ＴＳ信号
ｃ１２  第２の合成ＴＳ信号
ｉ１１  第１のＩＦ信号
ｉ１２  第２のＩＦ信号
ｓ１１  第１の選択信号
ｓ１２  第２の選択信号
ｔ１ａ、ｔ１ｂ、ｔ１ｃ  第１の入力ＴＳ信号
ｔ２ａ、ｔ２ｂ、ｔ２ｃ  第２の入力ＴＳ信号
ｔｓ１  第１の内部ＴＳ信号
ｔｓ２  第２の内部ＴＳ信号
ｔｓ３  第３の内部ＴＳ信号
ｔｓ４  第４の内部ＴＳ信号
２００、２００Ａ、２００Ｂ  復調モジュール
２１０  第１ＡＤ変換部
２２０  第２ＡＤ変換部
２３０  第１復調誤り訂正部
２４０  第２復調誤り訂正部
２５０  ＴＳ選択部
２６０  第１選択部
２７０  第２選択部
ｃ２１  第１の変換信号
ｃ２２  第２の変換信号
ｉ２１  第１のＩＦ信号
ｉ２２  第２のＩＦ信号
Ｍ２１  第１のモード
Ｍ２２  第２のモード
ｔ２１  第１のＴＳ信号
ｔ２２  第２のＴＳ信号
ｓ２６  第１の選択信号
ｓ２７  第２の選択信号
３００、３００Ａ、３００Ｂ  復調モジュール
３０１  受信装置
３１０  第１復調部
３２０  第２復調部
３３０  第１信号整形部
３４０  第２信号整形部
３５０  出力選択部
Ｇ３１    第１出力端子群
Ｇ３２    第２出力端子群
ｆ３１  第１の整形ＴＳ信号
ｆ３２  第２の整形ＴＳ信号
ｉ３１  第１のＩＦ信号
ｉ３２  第２のＩＦ信号
Ｍ３１  第１出力形態
Ｍ３２  第２出力形態
Ｍ３３  第３出力形態
Ｍ３４  第４出力形態
ｔ３１  第１のＴＳ信号
ｔ３２  第２のＴＳ信号
Ｔ１、Ｔ２、Ｔ３、Ｔ４、Ｔ５、Ｔ６、Ｔ７、Ｔ８、Ｔ９、Ｔ１０、Ｔ１１、Ｔ１２  端子
４００、４００Ａ、４００Ｂ、４００Ｃ、４００Ｄ、４００Ｅ  復調モジュール
４１０  第１ＡＤ変換部
４２０  第２ＡＤ変換部
４３０  第１選択部
４４０  第２選択部
４５０  復調誤り訂正部
ｃ４１  第１の変換信号
ｃ４２  第２の変換信号
ｉ４１、ｉ４２  ＩＦ信号
ｔ４１、ｔ４２  ＴＳ信号
ｓ４１  第１の選択信号
ｓ４２  第２の選択信号
Ｓ４ａ、Ｓ４ｂ  設定情報
ｂ４１、ｂ４３  ベースバンドＩ信号
ｂ４２、ｂ４４  ベースバンドＱ信号
５００、５００Ａ  復調モジュール
５０１  受信装置
５０３、５０４  ＲＦ部
５０５  デコーダ部
５０６  表示部
５１０  第１復調処理部
５１１  ＡＤ変換部
５１２  時間処理部
５１３  ＦＦＴ部
５１４  周波数処理部
５１５  伝送路推定部
５１６  ＳＩＳＯ等化部
５２０  第２復調処理部
５２１  ＡＤ変換部
５２２  時間処理部
５２３  ＦＦＴ部
５２４  周波数処理部
５２５  伝送路推定部
５２６  ＳＩＳＯ等化部
５３０  ＭＩＭＯ等化部
５４１  第１選択部
５４２  第２選択部
５４３  第３選択部
５４４  第４選択部
５５１  第１誤り訂正部
５５２  第２誤り訂正部
５６０  合成部
Ａｔ１  水平偏波用アンテナ
Ａｔ２  垂直偏波用アンテナ
ａ５１  第１のアナログ信号
ａ５２  第２のアナログ信号
ｃ５０  合成信号
ｅ５１  第１の誤り訂正信号
ｅ５２  第２の誤り訂正信号
ｍ５１  第１のＭＩＭＯ処理信号
ｍ５２  第２のＭＩＭＯ処理信号
Ｍ５１  ＭＩＭＯ受信モード
Ｍ５２  ＳＩＳＯ受信モード
ｍｍ１  ＭＩＭＯ処理ＴＳ信号
ｐ５１  第１の伝送路推定信号
ｐ５２  第２の伝送路推定信号
ｓ５１  第１のＳＩＳＯ等化信号
ｓ５２  第２のＳＩＳＯ等化信号
ｓｓ１  第１のＳＩＳＯ処理ＴＳ信号
ｓｓ２  第２のＳＩＳＯ処理ＴＳ信号
【要約】
復調モジュール（１００）は、１以上のコンテンツの少なくとも１つが複数の搬送波に分割されて並行して送信されるデジタル放送の放送信号を復調処理してＴＳ信号を出力する。第１復調部（１１１）は、第１処理部（１１０）に入力された第１のＩＦ信号（ｉ１１）を復調処理して、第１の内部ＴＳ信号（ｔｓ１）を出力し、第２復調部（１２１）は、第２処理部（１２０）に入力された第２のＩＦ信号（ｉ１２）を復調処理して、第２の内部ＴＳ信号（ｔｓ２）を出力する。第１選択部（１１２）は、入力された第１の入力ＴＳ信号（ｔ１ｃ）および第２の内部ＴＳ信号（ｔｓ２）のいずれかを、第３の内部ＴＳ信号（ｔｓ３）として出力する。第１合成部（１１３）は、第１の内部ＴＳ信号（ｔｓ１）および第３の内部ＴＳ信号（ｔｓ３）を含む複数のＴＳ信号を合成して、第１の合成ＴＳ信号（ｃ１１）を出力する。【図１】
0006927460.tif 000002
【図２】
0006927460.tif 000003
【図３】
0006927460.tif 000004
【図４】
0006927460.tif 000005
【図５Ａ】
0006927460.tif 000006
【図５Ｂ】
0006927460.tif 000007
【図６Ａ】
0006927460.tif 000008
【図６Ｂ】
0006927460.tif 000009
【図７】
0006927460.tif 000010
【図８Ａ】
0006927460.tif 000011
【図８Ｂ】
0006927460.tif 000012
【図９Ａ】
0006927460.tif 000013
【図９Ｂ】
0006927460.tif 000014
【図１０】
0006927460.tif 000015
【図１１Ａ】
0006927460.tif 000016
【図１１Ｂ】
0006927460.tif 000017
【図１２Ａ】
0006927460.tif 000018
【図１２Ｂ】
0006927460.tif 000019
【図１３Ａ】
0006927460.tif 000020
【図１３Ｂ】
0006927460.tif 000021
【図１４Ａ】
0006927460.tif 000022
【図１４Ｂ】
0006927460.tif 000023
【図１５】
0006927460.tif 000024
【図１６】
0006927460.tif 000025
【図１７】
0006927460.tif 000026
【図１８】
0006927460.tif 000027
【図１９】
0006927460.tif 000028
【図２０】
0006927460.tif 000029
【図２１】
0006927460.tif 000030
【図２２】
0006927460.tif 000031
【図２３】
0006927460.tif 000032
【図２４】
0006927460.tif 000033
【図２５】
0006927460.tif 000034
【図２６】
0006927460.tif 000035
【図２７】
0006927460.tif 000036
【図２８】
0006927460.tif 000037
【図２９】
0006927460.tif 000038
【図３０】
0006927460.tif 000039
【図３１】
0006927460.tif 000040
【図３２】
0006927460.tif 000041